(57)【要約】【課題】ＳＩＭＮサービスに加入した移動通信加入者が海外ローミングサービスを用いる場合に、発信呼処理を正確に行える移動通信端末機の呼処理システム、及びその呼処理方法を提供すること。【解決手段】移動通信端末機の呼処理システム及びその呼処理方法が開示される。移動通信端末機の呼処理システムは、海外ローミングサービス加入者に対するデータベース（ＤＢ）を生成する関門位置レジスター（１３０）を含む。ローミング制御部（１２０）は、移動通信端末機（１０１）の位置を登録し、移動通信端末機からの発信信号に含まれた発信事業者情報及び着信番号に基づいて海外ローミングサービスの中で主番号または副番号による発信有無を判断し、その判断結果に対応する信号を移動通信端末機が位置するネットワークの移動交換器に伝送する。海外ローミングサービスは、ホームネットワークで主番号を付与し、パートナーネットワークで副番号を付与する。【選択図】図１
2011508998.tif 000002
【特許請求の範囲】
【請求項１】
移動通信端末機の呼処理システムにおいて、
海外ローミングサービス加入者に対するデータベースを生成する関門位置レジスターと、
前記移動通信端末機の位置を登録し、前記移動通信端末機からの発信信号に含まれた発信事業者情報及び着信番号に基づいて前記海外ローミングサービスの中で主番号（ｐｒｉｍａｒｙ  ｎｏ．）または副番号（ｓｅｃｏｎｄａｒｙ  ｎｏ．）による発信有無を判断し、その判断結果に対応する信号を前記移動通信端末機が位置するネットワークの移動交換器に伝送するローミング制御部と、を含み、
前記海外ローミングサービスはホームネットワークで主番号を付与し、パートナーネットワークで副番号を付与することを特徴とする、移動通信端末機の呼処理システム。
【請求項２】
前記移動通信端末機は、他のネットワークの番号を用いて発信する場合、着信番号に付加コードを付けて発信することを特徴とする、請求項１に記載の移動通信端末機の呼処理システム。
【請求項３】
前記移動交換器は、前記移動通信端末機に対する自ネットワークでのＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅ  Ｄｉｇｉｔａｌ  Ｎｅｔｗｏｒｋ）を含み、前記移動通信端末機からの発信に対して前記自ネットワークでのＭＳＩＳＤＮに発信番号をセットすることを特徴とする、請求項１に記載の移動通信端末機の呼処理システム。
【請求項４】
ホームネットワークで付与された主番号及びパートナーネットワークで付与された副番号を用いる海外ローミングサービスを提供する移動通信端末機の呼処理システムにおいて、
前記パートナーネットワークの関門移動交換器から前記副番号の呼が着信されれば、前記移動通信加入者の前記海外ローミングサービス加入有無を判断し、前記移動通信加入者が前記海外ローミングサービスに加入された場合、前記副番号への呼着信に対する文字メッセージを生成するローミング制御部と、
前記副番号に相応する前記主番号に基づいて前記移動通信加入者端末機の位置情報を提供する位置レジスターと、
前記位置レジスターから受けた前記移動通信加入者端末機の位置情報に基づいて前記ローミング制御部から受信された前記文字メッセージを前記移動通信加入者端末機に伝送するメッセージ伝送部を含むことを特徴とする、移動通信端末機の呼処理システム。
【請求項５】
ホームネットワークで付与された主番号及びパートナーネットワークで付与された副番号を用いる海外ローミングサービスを提供する移動通信端末機の呼処理システムにおいて、
前記パートナーネットワークの関門移動交換器から前記副番号の呼が着信されれば、前記移動通信加入者の前記海外ローミングサービス加入有無を判断するローミング制御部と、
前記ローミング制御部によって前記移動通信加入者が前記海外ローミングサービスに加入されたと判断されれば、前記副番号に相応する前記主番号に基づいて前記移動通信加入者端末機の位置を判断し、判断された前記移動通信加入者端末機が位置するネットワークの移動交換器に移動局ローミング番号を要請して受信する位置レジスターと、
前記位置レジスターから伝送された前記移動局ローミング番号を受信し、受信された前記移動局ローミング番号に基づいて前記副番号への呼着信を前記移動通信加入者端末機に提供する関門移動交換器と、を含むことを特徴とする、移動通信端末機の呼処理システム。
【請求項６】
前記ローミング制御部は、
前記移動通信加入者端末機が前記海外ローミングサービスに加入された場合、前記移動通信加入者端末機が前記ホームネットワークまたは第３者ネットワークにあるかを判断し、前記ホームネットワークまたは前記第３者ネットワークにある場合、既協約されたデータ及び前記主番号を含む情報を前記パートナーネットワークの関門移動交換器に伝送し、
前記位置レジスターは、前記パートナーネットワークの関門移動交換器から伝送された前記主番号を含むＩＡＭ（Ｉｎｉｔｉａｌ  ａｄｄｒｅｓｓ  ｍｅｓｓａｇｅ）メッセージを受信した前記ホームネットワークの関門移動交換器から前記副番号に相応する前記主番号についての情報を受信することを特徴とする、請求項５に記載の移動通信端末機の呼処理システム。
【請求項７】
移動通信端末機の呼処理方法において、
ホームネットワークで主番号を付与しパートナーネットワークで副番号を付与する海外ローミングサービスに対し、その海外ローミングサービス加入者に対するデータベースを交換する段階と、
前記移動通信端末機の前記海外ローミングサービス加入有無を判断し、現在の位置を登録する段階と、
前記移動通信端末機から伝送された発信信号の発信事業者情報及び着信番号に基づいて前記海外ローミングサービスの中で主番号による発信であるかまたは副番号による発信であるかを判断し、その判断結果に対応する信号を前記移動通信端末機が位置するネットワークの移動交換器に伝送する段階と、を含むことを特徴とする、移動通信端末機の呼処理方法。
【請求項８】
前記交換する段階で交換されるデータベースは、前記海外ローミングサービス加入者の前記ホームネットワークのＭＳＩＳＤＮ範囲と前記パートナーネットワークのＭＳＩＳＤＮ範囲を含むことを特徴とする、請求項７に記載の移動通信端末機の呼処理方法。
【請求項９】
前記移動通信端末機が前記パートナーネットワークにある場合、前記移動通信端末機からの位置登録信号に基づいて関門位置レジスターがホーム位置レジスターから加入者プロファイルを獲得して前記パートナーネットワークのＳＧＳＮ（Ｓｅｒｖｉｎｇ  ＧＰＲＳ  Ｓｕｐｐｏｒｔ  Ｎｏｄｅ）に伝送する段階と、
前記関門位置レジスターが前記パートナーネットワークのＳＧＳＮから応答メッセージを受信する段階と、をさらに含み、
前記ローミング制御部は前記ＳＧＳＮからの応答メッセージに基づいて加入者位置情報をアップデートすることを特徴とする、請求項７に記載の移動通信端末機の呼処理方法。
【請求項１０】
前記移動通信端末機が前記パートナーネットワークにある場合、前記パートナーネットワークからの位置登録要請信号に対応して関門位置レジスターがホーム位置レジスターから加入者プロファイルを獲得して前記パートナーネットワークに伝送する段階と、
前記関門位置レジスターが前記パートナーネットワークから応答メッセージを受信する段階と、をさらに含み、
前記ローミング制御部は前記パートナーネットワークからの応答メッセージに基づいて加入者位置情報をアップデートすることを特徴とする、請求項７に記載の移動通信端末機の呼処理方法。
【請求項１１】
前記移動通信端末機が他のネットワークの番号を用いて呼を発信する場合、着信番号に付与された付加コードに基づいて自ネットワークの移動交換器が発信番号を前記他のネットワークの番号にセットする段階をさらに含むことを特徴とする、請求項７に記載の移動通信端末機の呼処理方法。
【請求項１２】
ホームネットワークで付与された主番号及びパートナーネットワークで付与された副番号を用いる移動通信端末機の呼処理方法において、
前記副番号に呼が着信されれば、前記副番号を持つ移動通信加入者の前記海外ローミングサービス加入有無を判断する段階と、
前記移動通信加入者が海外ローミングサービスに加入された場合、前記副番号への呼着信に対する文字メッセージを生成する段階と、
生成された前記文字メッセージを前記移動通信加入者端末機に伝送する段階と、を含むことを特徴とする、移動通信端末機の呼処理方法。
【請求項１３】
前記海外ローミングサービス加入有無を判断する段階は、
前記ホームネットワークのローミング制御部が前記パートナーネットワークの関門移動交換器から前記副番号の着信情報要請信号（ＳＲＩ：ｓｅｎｄ  ｒｏｕｔｉｎｇ  ｉｎｆｏｒｍａｔｉｏｎ）を受信すれば、前記海外ローミングサービス加入有無を判断することを特徴とする、請求項１２に記載の移動通信端末機の呼処理方法。
【請求項１４】
前記移動通信加入者端末機の位置を判断する段階をさらに含み、
判断された前記移動通信加入者端末機の位置に基づいて前記文字メッセージを前記移動通信加入者端末機に伝送することを特徴とする、請求項１２に記載の移動通信端末機の呼処理方法。
【請求項１５】
前記移動通信加入者端末機が前記パートナーネットワークまたは第３者ネットワークに位置し、前記主番号に呼が着信されれば、前記主番号への呼着信に対する文字メッセージを生成して前記移動通信加入者端末機に伝送することを特徴とする、請求項１２に記載の移動通信端末機の呼処理方法。
【請求項１６】
ホームネットワークで付与された主番号及びパートナーネットワークで付与された副番号を用いる移動通信端末機の呼処理方法において、
前記副番号に呼が着信されれば、前記副番号を持つ移動通信加入者の前記海外ローミングサービス加入有無を判断する段階と、
前記移動通信加入者が海外ローミングサービスに加入された場合、前記副番号に相応する主番号を利用して前記移動通信加入者端末機の位置を判断する段階と、
判断された前記位置に相応する移動交換器を通じて前記副番号への呼着信を前記移動通信加入者端末機に伝達する段階と、を含むことを特徴とする、移動通信端末機の呼処理方法。
【請求項１７】
前記移動通信加入者端末機が前記海外ローミングサービスに加入された場合、前記移動通信加入者端末機に前記副番号に呼が着信されたことを知らせるＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを伝送することを特徴とする、請求項１６に記載の移動通信端末機の呼処理方法。
【請求項１８】
前記海外ローミングサービス加入有無の判断は、前記パートナーネットワークの関門移動交換器から前記副番号の着信情報要請信号を受信する前記ホームネットワークのローミング制御部によってなされ、
前記移動通信加入者端末機の位置判断は、前記主番号が含まれた着信情報要請信号を受信する前記ホームネットワークの位置レジスターによってなされることを特徴とする、請求項１６に記載の移動通信端末機の呼処理方法。
【請求項１９】
前記移動通信加入者が前記海外ローミングサービスに加入された場合、前記移動通信加入者端末機が前記ホームネットワークまたは第３者ネットワークにあるかを判断する段階と、
前記移動通信加入者端末機が前記ホームネットワークまたは前記第３者ネットワークにある場合、前記ホームネットワークのローミング制御部が既協約されたデータ及び前記主番号を含む信号を前記パートナーネットワークの関門移動交換器に伝送する段階と、
前記ホームネットワークの関門移動交換器が前記パートナーネットワークの関門移動交換器から前記主番号を含むＩＡＭメッセージを受信し、前記主番号が含まれた着信情報要請信号を前記ホームネットワークの位置レジスターに伝送する段階と、をさらに含むことを特徴とする、請求項１８に記載の移動通信端末機の呼処理方法。
【請求項２０】
前記移動通信加入者が前記パートナーネットワークにいると判断されれば、前記ホームネットワークのローミング制御部が前記主番号が含まれた着信情報要請信号を前記ホームネットワークの位置レジスターに伝送する段階をさらに含むことを特徴とする、請求項１９に記載の移動通信端末機の呼処理方法。
【請求項２１】
前記パートナーネットワークの関門移動交換器が前記既協約されたデータに基づいて前記パートナーネットワークと前記ホームネットワークの間で発生した前記移動通信加入者端末機の課金データ（ＣＤＲ：Ｃａｌｌ  ｄａｔａ  ｒｅｃｏｒｄｓ）を生成する段階をさらに含むことを特徴とする、請求項１９に記載の移動通信端末機の呼処理方法。
【請求項２２】
前記移動通信加入者端末機が前記第３者ネットワークにある場合、前記ホームネットワークの関門移動交換器が前記ホームネットワークと前記第３者ネットワークの間で発生した前記移動通信加入者端末機の課金データ（ＣＤＲ：Ｃａｌｌ  ｄａｔａ  ｒｅｃｏｒｄｓ）を生成する段階をさらに含むことを特徴とする、請求項１９に記載の移動通信端末機の呼処理方法。
【請求項２３】
前記ホームネットワークのローミング制御部が前記パートナーネットワークの関門移動交換器に伝送する信号及び前記ＩＡＭメッセージは、前記副番号への呼着信に対するテキスト情報をさらに含み、
前記移動通信加入者端末機は、呼着信の際、前記副番号への呼着信に対するテキスト情報を画面に表示することを特徴とする、請求項１９に記載の移動通信端末機の呼処理方法。
【請求項２４】
前記移動通信加入者が前記海外ローミングサービスに加入された場合、前記移動通信加入者端末機が前記ホームネットワークまたは第３者ネットワークにあるかを判断する段階と、
前記移動通信加入者端末機が前記ホームネットワークまたは前記第３者ネットワークにある場合、前記ホームネットワークのローミング制御部がインテリジェントネットワーク処理変更のための情報（ＴＣＳＩ情報）を前記パートナーネットワークの関門移動交換器に伝送し、前記パートナーネットワークの関門移動交換器からＩＤＰ信号を受信する段階と、
前記ホームネットワークのローミング制御部が既協約されたデータ及び前記主番号を含むＲＲＢ／ＣＯＮＮＥＣＴ信号を前記パートナーネットワークの関門移動交換器に伝送する段階と、
前記ホームネットワークの関門移動交換器が前記パートナーネットワークの関門移動交換器から前記主番号を含むＩＡＭメッセージを受信し、前記主番号が含まれた着信情報要請信号を前記ホームネットワークの位置レジスターに伝送する段階と、をさらに含むことを特徴とする、請求項１８に記載の移動通信端末機の呼処理方法。
【請求項２５】
前記ホームネットワークのローミング制御部が前記パートナーネットワークの関門移動交換器から前記移動通信加入者端末機の通話連結及び通話終了についての情報を受信する段階と、
前記ホームネットワークのローミング制御部が受信された前記通話連結及び前記通話終了に基づいて前記パートナーネットワークと前記ホームネットワークの間で発生した前記移動通信加入者端末機の課金データを生成する段階と、をさらに含むことを特徴とする、請求項２４に記載の移動通信端末機の呼処理方法。
【請求項２６】
前記ホームネットワークまたは第３者ネットワークにあるかを判断する段階は、前記ホームネットワークのローミング制御部または前記ホームネットワークのホーム位置レジスターによってなされることを特徴とする、請求項１９または２４に記載の移動通信端末機の呼処理方法。
【発明の詳細な説明】
【技術分野】
【０００１】
本発明は移動通信端末機の呼処理システム、及びその呼処理方法に係り、より詳しくはホームネットワーク（ｈｏｍｅ  ｎｅｔｗｏｒｋ）で付与された主番号（ｐｒｉｍａｒｙ  ｎｕｍｂｅｒ）及び海外のパートナーネットワーク（ｐａｒｔｎｅｒ  ｎｅｔｗｏｒｋ）で付与された副番号（ｓｅｃｏｎｄａｒｙ  ｎｕｍｂｅｒ）に対し、インテリジェントネットワーク装置、例えばローミングサービス制御ポイント（ＲＳＣＰ：Ｒｏａｍｉｎｇ  Ｓｅｒｖｉｃｅ  Ｃｏｎｔｒｏｌ  Ｐｏｉｎｔ）を利用して、その移動通信加入者が主番号を使用して発信するかあるいは副番号を使用して発信するかによって正確に発信呼を処理し、アウトバウンド（ｏｕｔ  ｂｏｕｎｄ）海外ローミングサービスで移動通信端末機の副番号への呼着信信号が受信されれば、ホームネットワークでそのインテリジェントネットワーク装置を利用して移動通信端末機に副番号への呼着信に対する文字メッセージのみを伝送するか伝送線路の追加なしに海外パートナーネットワークとホームネットワーク間のシグナリングによって移動通信端末機が副番号への呼を着信して通話ができるようにする移動通信端末機の呼処理システム、及びその呼処理方法に関する。
【背景技術】
【０００２】
近年、海外ローミングサービスによって国内ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの移動通信加入者が同じ移動通信端末機を使用して外国でも国内のホームネットワークに接続して各種移動通信サービス、例えば音声または映像通話サービス、マルチメディアデータのダウンロード／アップロードサービス、無線インターネットサービスなどを利用することができることになった。
【０００３】
一般に、海外ローミングサービス加入者が外国で国内のホームネットワークに接続する場合、‘国際電話接続番号（１）＋国家番号（８２）＋地域番号（０１０、０１９、０２、０４１など）の中で０を除いた番号＋電話番号（＊＊＊＊−＃＃＃＃）’のような番号を押した後、通話ボタンを押して通話またはメッセージングサービスなどを利用することができる。
【０００４】
ここで、ＧＳＭ（Ｇｌｏｂａｌ  Ｓｙｓｔｅｍ  ｆｏｒ  Ｍｏｂｉｌｅ  Ｔｅｌｅｃｏｍｍｕｎｉｃａｔｉｏｎ）／ＷＣＤＭＡネットワークにおいては、国際電話接続番号として“＋”ＫＥＹが使用されることもある。つまり“＋”＋“国家番号”＋“０を除いた着信番号”が入力されることもできる。
【０００５】
また、海外ローミングサービス加入者が外国でその国のネットワークに接続する場合は、国内ネットワークのサービス利用方式と同様に‘地域番号＋電話番号’を押した後、通話ボタンを押して通話またはメッセージングサービスなどを利用することができる。
【０００６】
このように、海外ネットワークでホームネットワークに接続する場合、基本的に海外ネットワークの移動交換器（ＭＳＣ：Ｍｏｂｉｌｅ  Ｓｗｉｔｃｈｉｎｇ  Ｃｅｎｔｅｒ）が着信番号を分析し、海外ネットワークの国際回線事業者ネットワークを介してホームネットワークにＩＳＵＰ（ＩＳＤＮ  Ｕｓｅｒ  Ｐａｒｔ）呼を出力する。ホームネットワークにＩＳＵＰ呼が受信されれば、ホームネットワークの移動交換器が、加入者の着信番号に対応する位置を管理するホーム位置レジスター（ＨＬＲ：Ｈｏｍｅ  Ｌｏｃａｔｉｏｎ  Ｒｅｇｉｓｔｅｒ）にＭＡＰ（Ｍｏｂｉｌｅ  Ａｐｐｌｉｃａｔｉｏｎ  Ｐａｒｔ）を問い合わせてルーティング番号を受信し、受信したルーティング番号を利用して着信移動交換器にさらにＩＳＵＰ呼を連結する。
【０００７】
一般に、加入者の移動通信端末機番号は、移動通信端末機に装着されるＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードなどで管理されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号とこれに対応してホームネットワークで加入者端末機に付与されたＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅ  Ｄｉｇｉｔａｌ  Ｎｅｔｗｏｒｋ）番号によって加入者の移動通信端末機ごとに固有に決まった認識番号である。
【０００８】
特に、ＧＳＭ／ＷＣＤＭＡ方式の移動通信端末機はマルチバンド（Ｍｕｌｔｉ  Ｂａｎｄ）を支援することができるので、自動ローミングが可能である。このようなＧＳＭ／ＷＣＤＭＡ方式の移動通信端末機の特性を利用して一つのＩＭＳＩに複数のＭＳＩＳＤＮ番号を付与して自動ローミングに応用するサービスが開発された。そのようなサービスの一つがＳＩＭＮ（Ｓｉｎｇｌｅ  ＩＭＳＩ  Ｍｕｌｔｉｐｌｅ  Ｎｕｍｂｅｒ）サービスである。
【０００９】
すなわち、ＳＩＭＮサービスにおいては、加入者移動通信端末機のＩＭＳＩに対応してホームネットワークでは主番号（ｐｒｉｍａｒｙ  ｎｏ．）を付与し、一定の契約関係を結んだパートナーネットワークでは副番号（ｓｅｃｏｎｄａｒｙ  ｎｏ．）を付与して自動ローミングに応用する。
【発明の概要】
【発明が解決しようとする課題】
【００１０】
ところが、このようなＳＩＭＮサービスに加入した移動通信加入者が海外ローミングサービスを用いる場合に、移動通信加入者がホームネットワークの主番号を使用して発信するかまたはパートナーネットワークの副番号を使用して発信するかによってその発信呼処理方式が正確に規定される必要がある。
【００１１】
また、従来のアウトバウンド海外ローミングサービスにおいては、ホームネットワークで付与された一つのＭＳＩＳＤＮ番号のみを用いて呼発信及び着信を遂行するので、呼処理の際にいつもホームネットワークを介して加入者を確認してその他のローミングロジックを遂行しなければならないため、着信加入者がアウトバウンドローマーと同一の海外ネットワークに位置する場合にもホームネットワークと海外ネットワーク間の国際回線を使用することによって無駄な課金が発生し、使用者が高い課金を負担しなければならない問題があった。
【００１２】
したがって、ＳＩＭＮサービスに加入した移動通信加入者がアウトバウンド海外ローミングサービスを用いる場合に、そのアウトバウンドローマーが安価の海外ローミングサービスを受けることができるように支援するなど、加入者の位置に適切な海外自動ローミングサービスを効率的に支援することができるシステムが要求されている。
【００１３】
本発明の目的は前記の必要性に応じるためになされたもので、ＳＩＭＮサービスに加入した移動通信加入者が海外ローミングサービスを用いる場合に、その移動通信加入者がホームネットワークの主番号を使用して発信するかまたはパートナーネットワークの副番号を使用して発信するかによってその発信呼処理を正確に行える移動通信端末機の呼処理システム、及びその呼処理方法を提供することにある。
【００１４】
また、本発明の他の目的は、海外パートナーネットワークとホームネットワークの間で発生した課金を、ホームネットワークと協約されなかった他のネットワークの間で発生した課金と差別化することで、海外パートナーネットワークでの移動通信端末機加入者の課金に対する負担を減らすことができる移動通信端末機の呼処理システム及びその呼処理方法を提供することにある。
【００１５】
また、本発明のさらに他の目的は、移動通信端末機に付与された副番号に呼が着信された場合、海外ローミングサービス加入の際に加入者によって設定された情報を利用したＲＳＣＰの制御によって移動通信端末機が副番号への着信に対する文字メッセージのみを受信するか通話連結を遂行することができる移動通信端末機の呼処理システム及びその呼処理方法を提供することにある。
【００１６】
また、本発明のさらに他の目的は、副番号への呼着信の際、移動通信端末機に副番号への呼着信を知らせるＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを伝送するか着信情報要請信号（ＳＲＩ：Ｓｅｎｄ  Ｒｏｕｔｉｎｇ  Ｉｎｆｏｒｍａｔｉｏｎ）のＵＵＩ（Ｕｓｅｒ  ｔｏ  Ｕｓｅｒ  Ｉｎｆｏｒｍａｔｉｏｎ）フィールドに副番号への呼着信に対するテキストを挿入して移動通信端末機に表示することで、移動通信加入者に副番号への呼着信を知らせることができる移動通信端末機の呼処理システム及びその呼処理方法を提供することにある。
【課題を解決するための手段】
【００１７】
前記の目的を達成するための本発明による移動通信端末機の呼処理システムの第１実施例は、移動通信端末機の呼処理システムにおいて、サービス加入者に対するデータベースを生成するＧＬＲ（Ｇａｔｅｗａｙ  Ｌｏｃａｔｉｏｎ  Ｒｅｇｉｓｔｅｒ）と、前記移動通信端末機の位置を登録し、前記移動通信端末機からの発信信号に含まれた発信事業者情報及び着信番号に基づいて前記ＳＩＭＮサービス中に主番号（ｐｒｉｍａｒｙ  ｎｏ．）または副番号（ｓｅｃｏｎｄａｒｙ  ｎｏ．）による発信有無を判断し、その判断結果に対応する信号を前記移動通信端末機が位置するネットワークのＭＳＣ（Ｍｏｂｉｌｅ  Ｓｗｉｔｃｈｉｎｇ  Ｃｅｎｔｅｒ）に伝送するローミング制御部と、を含む。ここで、前記海外ローミングサービスは、ホームネットワークで主番号を付与し、パートナーネットワークで副番号を付与するＳＩＭＮ（Ｓｉｎｇｌｅ  ＩＭＳＩ  Ｍｕｌｔｉｐｌｅ  Ｎｕｍｂｅｒ）サービスを提供する。
【００１８】
好ましくは、前記移動通信端末機は、他のネットワークの番号を用いて呼を発信する場合、着信番号に付加コードを付けて発信する。ここで、他のネットワークとは、現在の海外ローミングサービスの動作の実行主体となる器機の自ネットワークに対する相手パートナーネットワークを言う。すなわち、移動通信端末機がパートナーネットワークにある場合、そのパートナーネットワークが自ネットワークであり、それに対する相手パートナーネットワークである他のネットワークはホームネットワークを言う。また、移動通信端末機がホームネットワークにある場合、そのホームネットワークが自ネットワークであり、それに対する相手パートナーネットワークである他のネットワークはパートナーネットワークを言う。以下にも同様である。
【００１９】
好ましくは、移動交換器は、前記移動通信端末機に対する自ネットワークでのＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅ  Ｄｉｇｉｔａｌ  Ｎｅｔｗｏｒｋ）を含み、前記移動通信端末機からの発信に対して前記自ネットワークでのＭＳＩＳＤＮを発信番号にセットする。
【００２０】
前記の目的を達成するための本発明による移動通信端末機の呼処理システムの第２実施例によれば、ホームネットワークで付与された主番号及びパートナーネットワークで付与された副番号を用いる海外ローミングサービスを提供する移動通信端末機の呼処理システムにおいて、前記パートナーネットワークの関門移動交換器から前記副番号の呼が着信されれば、前記移動通信加入者の前記海外ローミングサービス加入有無を判断し、前記移動通信加入者が前記海外ローミングサービスに加入された場合、前記副番号への呼着信に対する文字メッセージを生成するローミング制御部と、前記副番号に相応する前記主番号に基づいて前記移動通信加入者端末機の位置情報を提供する位置レジスターと、前記位置レジスターから受けた前記移動通信加入者端末機の位置情報に基づいて前記ローミング制御部から受信された前記文字メッセージを前記移動通信加入者端末機に伝送するメッセージ伝送部を含む。
【００２１】
前記の目的を達成するための本発明による移動通信端末機の呼処理システムの第３実施例によれば、ホームネットワークで付与された主番号及びパートナーネットワークで付与された副番号を用いる海外ローミングサービスを提供する移動通信端末機の呼処理システムにおいて、前記パートナーネットワークの関門移動交換器から前記副番号の呼が着信されれば、前記移動通信加入者の前記海外ローミングサービス加入有無を判断するローミング制御部と、前記ローミング制御部によって前記移動通信加入者が前記海外ローミングサービスに加入されたと判断されれば、前記副番号に相応する前記主番号に基づいて前記移動通信加入者端末機の位置を判断し、判断された前記移動通信加入者端末機が位置するネットワークの移動交換器に移動局ローミング番号を要請して受信する位置レジスターと、前記位置レジスターから伝送された前記移動局ローミング番号を受信し、受信された前記移動局ローミング番号に基づいて前記副番号への呼着信を前記移動通信加入者端末機に提供する関門移動交換器と、を含む。
【００２２】
好ましくは、前記ローミング制御部は、前記移動通信加入者端末機が前記海外ローミングサービスに加入された場合、前記移動通信加入者端末機が前記ホームネットワークまたは第３者ネットワークにあるかを判断し、前記ホームネットワークまたは前記第３者ネットワークにある場合、既協約されたデータ及び前記主番号を含む情報を前記パートナーネットワークの関門移動交換器に伝送し、前記位置レジスターは、前記パートナーネットワークの関門移動交換器から伝送された前記主番号を含むＩＡＭ（Ｉｎｉｔｉａｌ  ａｄｄｒｅｓｓ  ｍｅｓｓａｇｅ）メッセージを受信した前記ホームネットワークの関門移動交換器から前記副番号に相応する前記主番号についての情報を受信する。
【００２３】
一方、前記の目的を達成するための本発明の移動通信端末機の呼処理方法の第１実施例によれば、ホームネットワークで主番号を付与しパートナーネットワークで副番号を付与する海外ローミングサービスに対し、その海外ローミングサービス加入者に対するデータベースを交換する段階と、前記移動通信端末機の前記海外ローミングサービス加入有無を判断して現在の位置を登録する段階と、前記移動通信端末機から伝送された発信信号の発信事業者情報及び着信番号に基づいて前記海外ローミングサービスの中で主番号による発信であるかまたは副番号による発信であるかを判断し、その判断結果に対応する信号を前記移動通信端末機が位置するネットワークの移動交換器に伝送する段階と、を含む移動通信端末機の呼処理方法を提供する。
【００２４】
好ましくは、前記交換段階で交換されるデータベースは、前記海外ローミングサービス加入者の前記ホームネットワークのＭＳＩＳＤＮ範囲と前記パートナーネットワークのＭＳＩＳＤＮ範囲を含む。
【００２５】
好ましくは、前記の移動通信端末機の呼処理方法は、前記移動通信端末機が前記パートナーネットワークにある場合、前記移動通信端末機からの位置登録信号に基づいて関門位置レジスターがホーム位置レジスターから加入者プロファイルを獲得して前記パートナーネットワークのＳＧＳＮ（Ｓｅｒｖｉｎｇ  ＧＰＲＳ  Ｓｕｐｐｏｒｔ  Ｎｏｄｅ）に伝送する段階と、前記ＧＬＲが前記パートナーネットワークのＳＧＳＮから応答メッセージを受信する段階と、をさらに含む。好ましくは、前記ローミング制御部は、前記ＳＧＳＮからの応答メッセージに基づいて加入者位置情報をアップデートする。
【００２６】
好ましくは、前記の移動通信端末機の呼処理方法は、前記移動通信端末機が前記パートナーネットワークにある場合、前記パートナーネットワークからの位置登録要請信号に対応して関門位置レジスターがホーム位置レジスターから加入者プロファイルを獲得して前記パートナーネットワークに伝送する段階と、前記関門位置レジスターが前記パートナーネットワークのＳＧＳＮから応答メッセージを受信する段階と、をさらに含む。好ましくは、前記ローミング制御部は、前記ＳＧＳＮからの応答メッセージに基づいて加入者位置情報をアップデートする。
【００２７】
好ましくは、前記移動通信端末機が前記他のネットワークの番号を用いて呼を発信する場合、着信番号に付与された付加コードに基づいて自ネットワークの移動交換器が発信番号を前記他のネットワークの番号にセットする段階をさらに含む。
【００２８】
前記の目的を達成するための本発明による移動通信端末機の呼処理方法の第２実施例によれば、ホームネットワークで付与された主番号及びパートナーネットワークで付与された副番号を用いる移動通信端末機の呼処理方法において、前記副番号に呼が着信されれば、前記副番号を持つ移動通信加入者の前記海外ローミングサービス加入有無を判断する段階と、前記移動通信加入者が海外ローミングサービスに加入された場合、前記副番号への呼着信に対する文字メッセージを生成する段階と、生成された前記文字メッセージを前記移動通信加入者端末機に伝送する段階と、を含む。
【００２９】
好ましくは、前記海外ローミングサービス加入有無を判断する段階は、前記ホームネットワークのローミング制御部が前記パートナーネットワークの関門移動交換器から前記副番号の着信情報要請信号（ＳＲＩ：ｓｅｎｄ  ｒｏｕｔｉｎｇ  ｉｎｆｏｒｍａｔｉｏｎ）を受信すれば、前記海外ローミングサービス加入有無を判断する。
【００３０】
好ましくは、前記の移動通信端末機の呼処理方法は、前記移動通信加入者端末機の位置を判断する段階をさらに含み、判断された前記移動通信加入者端末機の位置に基づいて前記文字メッセージを前記移動通信加入者端末機に伝送する。
【００３１】
好ましくは、前記移動通信加入者端末機は前記パートナーネットワークまたは第３者ネットワークに位置し、前記主番号に呼が着信されれば、前記主番号への呼着信に対する文字メッセージを生成して前記移動通信加入者端末機に伝送する。
【００３２】
前記の目的を達成するための本発明による移動通信端末機の呼処理方法の第３実施例によれば、ホームネットワークで付与された主番号及びパートナーネットワークで付与された副番号を用いる移動通信端末機の呼処理方法において、前記副番号に呼が着信されれば、前記副番号を持つ移動通信加入者の前記海外ローミングサービス加入有無を判断する段階と、前記移動通信加入者が海外ローミングサービスに加入された場合、前記副番号に相応する主番号を利用して前記移動通信加入者端末機の位置を判断する段階と、判断された前記位置に相応する移動交換器を通じて前記副番号への呼着信を前記移動通信加入者端末機で伝達する段階と、を含む。
【００３３】
好ましくは、前記移動通信加入者端末機が前記海外ローミングサービスに加入された場合、前記移動通信加入者端末機で前記副番号に呼が着信されたことを知らせるＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを伝送する。
【００３４】
好ましくは、前記海外ローミングサービス加入有無の判断は、前記パートナーネットワークの関門移動交換器から前記副番号の着信情報要請信号を受信する前記ホームネットワークのローミング制御部によってなされ、前記移動通信加入者端末機の位置判断は、前記主番号が含まれた着信情報要請信号を受信する前記ホームネットワークの位置レジスターによってなされる。
【００３５】
好ましくは、前記の移動通信端末機の呼処理方法は、前記移動通信加入者が前記海外ローミングサービスに加入された場合、前記移動通信加入者端末機が前記ホームネットワークまたは第３者ネットワークにあるかを判断する段階と、前記移動通信加入者端末機が前記ホームネットワークまたは前記第３者ネットワークにある場合、前記ホームネットワークのローミング制御部が既協約されたデータ及び前記主番号を含む信号を前記パートナーネットワークの関門移動交換器に伝送する段階と、前記ホームネットワークのＧＭＳＣが前記パートナーネットワークの関門移動交換器から前記主番号を含むＩＡＭメッセージを受信し、前記主番号が含まれた着信情報要請信号を前記ホームネットワークの位置レジスターに伝送する段階と、をさらに含むことができる。
【００３６】
好ましくは、前記移動通信加入者が前記パートナーネットワークにいると判断されれば、前記ホームネットワークのローミング制御部が前記主番号が含まれた着信情報要請信号を前記ホームネットワークの位置レジスターに伝送する段階をさらに含む。
【００３７】
好ましくは、前記パートナーネットワークの関門移動交換器が前記既協約されたデータに基づいて前記パートナーネットワークと前記ホームネットワークの間で発生した前記移動通信加入者端末機の課金データ（ＣＤＲ：Ｃａｌｌ  ｄａｔａ  ｒｅｃｏｒｄｓ）を生成する段階をさらに含む。
【００３８】
好ましくは、前記移動通信加入者端末機が前記第３者ネットワークにある場合、前記ホームネットワークの関門移動交換器が前記ホームネットワークと前記第３者ネットワークの間で発生した前記移動通信加入者端末機の課金データ（ＣＤＲ：Ｃａｌｌ  ｄａｔａ  ｒｅｃｏｒｄｓ）を生成する段階をさらに含む。
【００３９】
好ましくは、前記ホームネットワークのローミング制御部が前記パートナーネットワークの関門移動交換器に伝送する信号及び前記ＩＡＭメッセージは、前記副番号への呼着信に対するテキスト情報をさらに含み、前記移動通信加入者端末機は呼着信の際、前記副番号への呼着信に対するテキスト情報を画面に表示する。
【００４０】
好ましくは、前記の移動通信端末機の呼処理方法は、前記移動通信加入者が前記海外ローミングサービスに加入された場合、前記移動通信加入者端末機が前記ホームネットワークまたは第３者ネットワークにあるかを判断する段階と、前記移動通信加入者端末機が前記ホームネットワークまたは前記第３者ネットワークにある場合、前記ホームネットワークのローミング制御部がインテリジェントネットワーク処理変更のための情報（ＴＣＳＩ情報）を前記パートナーネットワークの関門移動交換器に伝送し、前記パートナーネットワークの関門移動交換器からＩＤＰ信号を受信する段階と、前記ホームネットワークのローミング制御部が既協約されたデータ及び前記主番号を含むＲＲＢ／ＣＯＮＮＥＣＴ信号を前記パートナーネットワークの関門移動交換器に伝送する段階と、前記ホームネットワークの関門移動交換器が前記パートナーネットワークの関門移動交換器から前記主番号を含むＩＡＭメッセージを受信し、前記主番号が含まれた着信情報要請信号を前記ホームネットワークの位置レジスターに伝送する段階と、をさらに含む。
【００４１】
好ましくは、前記ホームネットワークのローミング制御部が前記パートナーネットワークの関門移動交換器から前記移動通信加入者端末機の通話連結及び通話終了についての情報を受信する段階と、前記ホームネットワークのローミング制御部が受信された前記通話連結及び前記通話終了に基づいて前記パートナーネットワークと前記ホームネットワークの間で発生した前記移動通信加入者端末機の課金データを生成する段階と、をさらに含む。
【００４２】
好ましくは、前記ホームネットワークまたは第３者ネットワークにあるかを判断する段階は、前記ホームネットワークのローミング制御部または前記ホームネットワークのホーム位置レジスターによってなされる。
【発明の効果】
【００４３】
本発明による移動通信端末機の呼処理システム及びその呼処理方法は、ＳＩＭＮサービスに加入した移動通信加入者が海外ローミングサービスを用いる場合、その移動通信加入者がホームネットワークの主番号を使用して発信するかまたはパートナーネットワークの副番号を使用して発信するかによってその発信呼を正確に処理することができることになる。
【００４４】
また、本発明による移動通信端末機の呼処理システム及びその呼処理方法は、ホームネットワークで主番号を使用し海外パートナーネットワークで副番号を使用して通信サービスを提供する海外ローミングサービスに加入された移動通信端末機の副番号への呼着信を、海外パートナーネットワーク及びホームネットワーク間の国際伝送線路の追加なしに、既存に構築されている国際伝送線路を活用して提供することで、システムを構成するのにかかる費用を節減するようにする。
【００４５】
また、本発明による移動通信端末機の呼処理システム及びその呼処理方法は、海外パートナーネットワークとホームネットワーク間で発生した課金をホームネットワークと協約されない他のネットワーク間で発生した課金と差別化して移動通信端末機加入者の課金に対する負担を減らすようにする。
【００４６】
また、本発明による移動通信端末機の呼処理システム及びその呼処理方法は、副番号に呼が着信された場合、海外ローミングサービス加入の際に加入者によって設定された情報を利用したＲＳＣＰの制御によって移動通信端末機が副番号への呼着信に対する文字メッセージのみを受信するかまたは副番号への呼着信に対する通話連結を遂行するようにする。
【００４７】
また、本発明による移動通信端末機の呼処理システム及びその呼処理方法は、副番号への呼着信の際に移動通信端末機に副番号への呼着信を知らせるＵＳＳＤメッセージを伝送するかまたは着信情報要請信号のＵＵＩフィールドに副番号への呼着信に対するテキストを挿入して移動通信端末機に表示することで、移動通信加入者に副番号への呼着信を知らせることができることになる。
【図面の簡単な説明】
【００４８】
【図１】本発明による移動通信端末機の呼処理システムを概略的に示す図である。
【図２】図１の移動通信端末機の呼処理システムによるＧＬＲのデータベースの生成過程を示すフローチャートである。
【図３】図１の移動通信端末機の呼処理システムによるＲＳＣＰの加入者位置情報アップデート過程を示すフローチャートである。
【図４】図１の移動通信端末機の呼処理システムによる、ホームネットワークで主番号を用いて呼を発信する場合の発信呼処理方法を示すフローチャートである。
【図５】図１の移動通信端末機の呼処理システムによる、パートナーネットワークで主番号を用いて呼を発信する場合の発信呼処理方法を示すフローチャートである。
【図６】図１の移動通信端末機の呼処理システムによる、第３者ネットワークで主番号を用いて呼を発信する場合の発信呼処理方法を示すフローチャートである。
【図７】図１の移動通信端末機の呼処理システムによる、ホームネットワークで副番号を用いて呼を発信する場合の発信呼処理方法を示すフローチャートである。
【図８】図１の移動通信端末機の呼処理システムによる、パートナーネットワークで副番号を用いて呼を発信する場合の発信呼処理方法を示すフローチャートである。
【図９】図１の移動通信端末機の呼処理システムによる、パートナーネットワークに位置するＳＩＭＮサービス加入者端末機に呼着信に対するＳＭＳを伝達する方法を示すフローチャートで、ＳＩＭＮサービス加入者端末機の主番号に呼が着信された場合を示す。
【図１０】図１の移動通信端末機の呼処理システムによる、ホームネットワークに位置するＳＩＭＮサービス加入者端末機に呼着信に対するＳＭＳを伝達する方法を示すフローチャートで、ＳＩＭＮサービス加入者端末機の副番号に呼が着信された場合を示す。
【図１１】図１の移動通信端末機の呼処理システムによる、パートナーネットワークに位置するＳＩＭＮサービス加入者端末機に呼着信に対するＳＭＳを伝達する方法を示すフローチャートで、ＳＩＭＮサービス加入者端末機の副番号に呼が着信された場合を示す。
【図１２】図１の移動通信端末機の呼処理システムによる、第３者ネットワークに位置するＳＩＭＮサービス加入者端末機に呼着信に対するＳＭＳを伝達する方法を示すフローチャートで、ＳＩＭＮサービス加入者端末機の副番号に呼が着信された場合を示す。
【図１３】図１の移動通信端末機の呼処理システムによる、ホームネットワークに位置するＳＩＭＮサービス加入者端末機に副番号への着信呼を直接連結する方法を示すフローチャートである。
【図１４】図１の移動通信端末機の呼処理システムによる、パートナーネットワークに位置するＳＩＭＮサービス加入者端末機に副番号への着信呼を直接連結する方法を示すフローチャートである。
【図１５】図１の移動通信端末機の呼処理システムによる、第３者ネットワークに位置するＳＩＭＮサービス加入者端末機に副番号への着信呼を直接連結する方法を示すフローチャートである。
【図１６】ホームネットワークに位置するＳＩＭＮサービス加入者端末機に呼を連結する他の実施例を示すフローチャートで、ホームネットワークとパートナーネットワーク間で発生した課金データをホームネットワークで生成するための方法を示す。
【図１７】第３者ネットワークに位置するＳＩＭＮサービス加入者端末機に呼を連結する他の実施例を示すフローチャートで、ホームネットワークとパートナーネットワーク間で発生した課金データをホームネットワークで生成するための方法を示す。
【図１８】ホームネットワークに位置するＳＩＭＮサービス加入者端末機に呼を連結するさらに他の実施例を示すフローチャートで、ＵＵＩフィールドを利用して副番号への呼着信を知らせる方法を示す。
【発明を実施するための形態】
【００４９】
以下、添付図面に基づいて本発明による移動通信端末機の呼処理システム及びその呼処理方法の好ましい実施例を詳細に説明する。
【００５０】
本発明の詳細な説明に先立ち、本発明における移動通信端末機は、携帯電話（Ｃｅｌｌｕｌａｒ  ｐｈｏｎｅ）、ＰＣＳフォン（ＰＣＳ  ｐｈｏｎｅ：Ｐｅｒｓｏｎａｌ  Ｃｏｍｍｕｎｉｃａｔｉｏｎｓ  Ｓｅｒｖｉｃｅｓ  ｐｈｏｎｅ）、同期式／非同期式ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機であることができるだけでなく、移動通信サービスを利用することができるノートブック型ＰＣ、デスクトップ型ＰＣ、パーム型ＰＣ（Ｐａｌｍ  Ｐｅｒｓｏｎａｌ  Ｃｏｍｐｕｔｅｒ）、個人用デジタル補助装置（ＰＤＡ：Ｐｅｒｓｏｎａｌ  Ｄｉｇｉｔａｌ  Ａｓｓｉｓｔａｎｔ）、スマートフォン（Ｓｍａｒｔ  ｐｈｏｎｅ）、ＷＡＰフォン（ＷＡＰ  ｐｈｏｎｅ：Ｗｉｒｅｌｅｓｓ  Ａｐｐｌｉｃａｔｉｏｎ  Ｐｒｏｔｏｃｏｌ  ｐｈｏｎｅ）、モバイル（ｍｏｂｉｌｅ  ｐｌａｙ−ｓｔａｔｉｏｎ）などのすべての通信装置を包括する。
【００５１】
図１は本発明による移動通信端末機の呼処理システムを概略的に示す図である。
【００５２】
同図を参照すれば、本発明による移動通信端末機の呼処理システムは、ホームネットワーク１００、パートナーネットワーク２００、及び第３者ネットワーク３００を含む。
【００５３】
ここで、ホームネットワーク１００は移動通信端末機１０１が加入した通信ネットワークが存在する自国ネットワークで、ＣＣＢＳ（Ｃｕｓｔｏｍｅｒ  Ｃａｒｅ  Ｂｉｌｌｉｎｇ  Ｓｙｓｔｅｍ）１１０、ＲＳＣＰ１２０、ＧＬＲ（Ｇａｔｅｗａｙ  Ｌｏｃａｔｉｏｎ  Ｒｅｇｉｓｔｅｒ）１３０、ＨＬＲ（Ｈｏｍｅ  Ｌｏｃａｔｉｏｎ  Ｒｅｇｉｓｔｅｒ）１４０、ＭＳＣ１５０、ＧＭＳＣ（Ｇａｔｅｗａｙ  Ｍｏｂｉｌｅ  Ｓｗｉｔｃｈｉｎｇ  Ｃｅｎｔｅｒ）１６０、ＶＡＳ（Ｖａｌｕｅ  Ａｄｄｅｄ  Ｓｙｓｔｅｍ）１７０、及びＳＭＳＣ（Ｓｈｏｒｔ  Ｍｅｓｓａｇｅ  Ｓｅｒｖｉｃｅ  Ｃｅｎｔｅｒ）１８０を含む。
【００５４】
また、パートナーネットワーク２００は海外ローミングサービスにおいてホームネットワーク１００と協約して他の海外の第３者ネットワーク３００と差別化されるネットワークで、ＣＣＢＳ２１０、ＳＧＳＮ（Ｓｅｒｖｉｎｇ  ＧＰＲＳ  Ｓｕｐｐｏｒｔ  Ｎｏｄｅ）２２０、ＭＳＣ２３０、及びＧＭＳＣ２４０を含む。
【００５５】
また、第３者ネットワーク３００はホームネットワーク１００及びパートナーネットワーク２００を除いた他の国家の移動通信ネットワークで、ＭＳＣ３１０及びＧＭＳＣ３２０を含む。
【００５６】
図１に示すシステムにおいて、ホームネットワーク１００、パートナーネットワーク２００及び第３者ネットワーク３００は回線チャネルに基づく音声または映像通話サービスのようなＣＳ（Ｃｉｒｃｕｉｔ  Ｓｗｉｔｃｈ）ドメインのサービスとデータチャネルに基づくマルチメディアデータのダウンロードやアップロード、無線インターネットサービス、または携帯インターネットサービスのようなＰＳ（Ｐａｃｋｅｔ  Ｓｗｉｔｃｈ）ドメインのサービスを各ネットワークの移動端末１０１に提供することができるものと仮定される。以下では、このような移動通信サービスがＷＣＤＭＡに基づいて提供されるものである例を挙げて説明するが、これに限定されるものではなく、それぞれの海外ネットワークやホームネットワークの移動通信環境によって、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＩＭＴ２０００、ＣＤＭＡ２０００方式などに多様に適用されることもできる。
【００５７】
また、副番号への呼着信または主番号への呼着信に対する伝送メッセージを短文メッセージとして説明したが、これに限定されるものではなく、ＳＭＳの代わりに長文メッセージ（ＬＭＳ）またはマルチメディアメッセージ（ＭＭＳ）などのように移動通信加入者に知らせることができるすべてのメッセージング方法が適用できる。
【００５８】
その外にも、図１には示されていないが、ＳＧＳＮ（Ｓｅｒｖｉｎｇ  ＧＰＲＳＳｅｒｖｉｃｅ  Ｎｏｄｅ：ＧＰＲＳネットワークサービスノード）とＧＧＳＮ（Ｇａｔｅｗａｙ  ＧＰＲＳ  Ｓｕｐｐｏｒｔ  Ｎｏｄｅ）の呼処理制御によってマルチメディアデータのダウンロードやアップロード、無線インターネットサービス、または携帯インターネットサービスのようなＧＰＲＳ（Ｇｅｎｅｒａｌ  Ｐａｃｋｅｔ  Ｒａｄｉｏ  Ｓｅｒｖｉｃｅ）ネットワークのＰＳドメインサービスを受けることができる。
【００５９】
本発明によるシステムにおいては、海外ローミングサービスを受ける移動通信端末機に付与された二つの端末番号、つまりホームネットワーク１００で付与された主番号（ｐｒｉｍａｒｙ  ｎｕｍｂｅｒ＝ホームネットワークのＭＳＩＳＤＮ＝Ｐ＃）とパートナーネットワーク２００で付与された副番号（ｓｅｃｏｎｄａｒｙ  ｎｕｍｂｅｒ＝パートナーネットワークのＭＳＩＳＤＮ＝Ｓ＃）を端末機の認識番号として使用する。
【００６０】
また、本発明における移動通信端末機はＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードなどを備え、ＵＳＩＭカードなどで管理されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）番号は一つであるが、一つのＩＭＳＩ番号に対応する一つのＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅ  Ｄｉｇｉｔａｌ  Ｎｅｔｗｏｒｋ）番号をホームネットワーク１００から主番号として付与し、既設定された他の一つのＭＳＩＳＤＮ番号をパートナーネットワーク２００から副番号として付与する。このような移動通信加入者端末機を以下にＳＩＭＮ（Ｓｉｎｇｌｅ  ＩＭＳＩ  Ｍｕｌｔｉｐｌｅ  Ｎｕｍｂｅｒ）サービス加入者端末機であると仮定する。
【００６１】
ＣＣＢＳ１１０、２１０はホームネットワーク１００、パートナーネットワーク２００、及び第３者ネットワーク３００で発生した課金データを管理するもので、ホームネットワーク１００のＣＣＢＳ１１０はパートナーネットワーク２００のＣＣＢＳ２１０または第３者ネットワーク３００で発生した課金データを受信して移動通信端末機加入者の課金データを管理する。また、ＣＣＢＳ１１０、２１０はホームネットワーク１００での主番号のＭＳＩＳＤＮ帯域範囲とパートナーネットワーク２００での副番号のＭＳＩＳＤＮ帯域範囲についての情報を交換して保存する。このようなＭＳＩＳＤＮ帯域範囲についての情報の交換はオンライン上で行われることもでき、オフライン上で行われることもできる。
【００６２】
ＲＳＣＰ１２０は海外ローミングサービスを制御するインテリジェントネットワーク装置で、ＳＩＭＮサービスの加入者からの位置登録信号に基づいて加入者位置情報を登録し、加入者から発信された着信番号に基づいて発信呼処理を行う。また、ＲＳＣＰ１２０はパートナーネットワーク２００から移動通信端末機１０１の副番号に対する着信要請信号（ＳＲＩ）を受信すれば、移動通信端末機１０１のＳＩＭＮサービス加入有無を判断し、移動通信端末機１０１がＳＩＭＮサービスに加入した場合、部番号に対する呼着信を制御する。
【００６３】
この際、ＲＳＣＰ１２０は、海外ローミングサービスを受ける移動通信加入者がＳＩＭＮサービスに加入された場合、その加入者がＳＩＭＮサービスに加入するときに設定した情報に基づいて副番号着信に対する動作を遂行することができる。ここでは、ＳＩＭＮサービス加入時に加入者によって設定される副番号着信に対する設定項目として、（１）ＳＭＳを通じた呼着信情報受信、（２）通話連結などのような項目があると仮定する。
【００６４】
しかし、ＲＳＣＰ１２０による副番号着信に対する動作は、ＳＩＭＮサービス加入者による設定によって行われる代わりに、ＳＩＭＮサービス加入者の位置、つまりＳＩＭＮサービス加入者がホームネットワーク１００、パートナーネットワーク２００、または第３者ネットワーク３００の中でどこに位置するかによって、副番号に呼が着信されるとき、ＳＭＳまたは通話連結が直接なされるように設定することができる。
【００６５】
副番号への呼着信の際、ＳＭＳまたは通話直接連結などに対する説明は後述し、ここではＳＩＭＮサービス加入の際、加入者の位置に関係なく設定されたＳＭＳ項目または通話連結項目について簡略に説明する。
【００６６】
（１）ＳＭＳを通じて呼着信情報受信項目が設定された場合
ＲＳＣＰ１２０はパートナーネットワーク２００のＧＭＳＣ２４０から移動通信端末機の副番号に対するＳＲＩを受信し、移動通信端末機加入者がＳＩＭＮサービスに加入されたと判断されれば、呼着信情報受信項目によって副番号に呼が着信されたことを知らせるＳＭＳ内容を生成し、パートナーネットワーク２００のＧＭＳＣ２４０にＳＲＩ信号に対する応答信号（ＳＲＩ  ａｃｋ）を伝送する。
【００６７】
この際、ＳＲＩ  ａｃｋは移動通信端末機の副番号に対する呼着信不可に対する応答信号であることができる。例えば、ＲＳＣＰ１２０はパートナーネットワーク２００のＧＭＳＣ２４０を通じて着信端末機が呼を受信することができないという内容の音声メッセージを発信端末機に出力することができるように、ＳＲＩ  ａｃｋをパートナーネットワーク２００のＧＭＳＣ２４０に出力する。
【００６８】
（２）通話連結項目が設定された場合
ＲＳＣＰ１２０はパートナーネットワーク２００のＧＭＳＣ２４０から移動通信端末機の副番号に対するＳＲＩを受信し、移動通信端末機加入者がＳＩＭＮサービスに加入されたと判断されれば、加入の際に設定された項目である通話連結項目によって移動通信端末機の副番号への呼着信を遂行する。
【００６９】
この際、ＲＳＣＰ１２０は移動通信端末機加入者に、副番号に呼が着信されたことを知らせるように、移動通信端末機にＵＳＳＤメッセージを伝送するか、ＨＬＲ１４０から主番号に対するＭＳＲＮ（Ｍｏｂｉｌｅ  Ｓｕｂｓｃｒｉｂｅｒ  Ｒｏａｍｉｎｇ  Ｎｕｍｂｅｒ）を受信して副番号に対するＳＲＩ信号を伝送したパートナーネットワーク２００のＧＭＳＣにＳＲＩ  ａｃｋ信号を伝送するとき副番号に着信されたことを知らせるためのテキストを含んで伝送することができ、副番号への着信に対するテキストはＵＵＩフィールドに含まれることができる。
【００７０】
すなわち、移動通信端末機加入者はＲＳＣＰ１２０から移動通信端末機に提供されたＵＳＳＤメッセージによって副番号に呼が着信されたことが分かるか、あるいは移動通信端末機に呼が着信されるとともに端末機の画面に表示されるＨＬＲ１４０から伝送されるＳＲＩ信号のＵＵＩフィールドに保存されたテキストによって副番号に呼が着信されたことが分かる。
【００７１】
この際、ＲＳＣＰ１２０は副番号に対するＳＲＩ  ａｃｋ信号にパートナーネットワーク２００と既協約されたデータ（以下、“ｓｐｅｃｉａｌ  ＰＦＸ”という）及び主番号を含むことができ、パートナーネットワークのＧＭＳＣ２４０はｓｐｅｃｉａｌ  ＰＦＸを利用してパートナーネットワーク２００とホームネットワーク１００の間で発生する課金データを、協約されなかった他のネットワーク間で発生する課金データと差別化させるときに使用できる。例えば、パートナーネットワーク２００のＧＭＳＣ２４０はパートナーネットワーク２００と他のネットワーク３００の間の単位時間当り料金をＡウォン課金し、ｓｐｅｃｉａｌ  ＰＦＸを用いて協約されたパートナーネットワーク２００とホームネットワーク１００の間の料金を単位時間当りＢウォン（Ｂ＜Ａ）課金することで、ｓｐｅｃｉａｌ  ＰＦＸを通じて他のネットワークとホームネットワーク１００の間の課金データを差別化する。
【００７２】
また、ＲＳＣＰ１２０は、パートナーネットワーク２００でないホームネットワーク１００で課金データを生成するためにパートナーネットワーク２００のＧＭＳＣ２４０にインテリジェントネットワーク処理変更のためのＴＣＳＩ（Ｔｅｒｍｉｎａｔｉｏｎ  ＣＡＭＥＬ  Ｓｕｂｓｃｒｉｐｔｉｏｎ  Ｉｎｆｏｒｍａｔｉｏｎ）情報を含む副番号に対するＳＲＩ  ａｃｋ信号を伝送し、パートナーネットワーク２００のＧＭＳＣ２４０からＩＤＰ信号を受信した後、ｓｐｅｃｉａｌ  ＰＦＸ及び主番号を含むＲＲＢ／ＣＯＮＮＥＣＴ信号を再びパートナーネットワーク２００のＧＭＳＣ２４０に伝送することができる。すなわち、ＲＳＣＰ１２０はパートナーネットワーク２００のＧＭＳＣ２４０から移動通信端末機の副番号への呼着信によって通話が始まった時間情報及び通話が終わった時間情報を受信することで、パートナーネットワーク２００とホームネットワーク１００の間の課金データを生成する。これについての詳細な動作は本発明による移動通信端末機の着信呼処理方法で説明する。
【００７３】
もちろん、加入者が海外ローミングサービスに加入するとき副番号に対して設定することができる項目のみが存在するのではない。言い換えれば、主番号への呼着信に対して設定することができる項目が存在することができ、その設定項目によって主番号に対する海外ローミングサービスを提供することができる。
【００７４】
一例として、加入者が主番号への呼着信に対して設定した項目は移動通信端末機１１９、１２４または１３１がホームネットワーク１００でないパートナーネットワーク２００または第３者ネットワーク１３０にある場合に主番号に呼が着信されたことを知らせるＳＭＳのみを受信する項目であることができる。
【００７５】
すなわち、移動通信端末機は、移動通信加入者がＳＩＭＮサービスに加入するとき主番号または副番号に呼が着信された場合に、加入者の現在位置、例えば加入者がホームネットワーク１００、パートナーネットワーク２００または第３者ネットワーク３００に位置するかによって、号を着信するかあるいはＳＭＳのみを受信するかを設定する項目によって、主番号への呼着信または副番号への呼着信に対するＳＭＳを受信するかあるいは呼が着信されて通話が連結される。
【００７６】
例えば、主番号に呼が着信され、加入者がパートナーネットワーク２００に位置している場合、ＳＭＳのみを受信し、副番号に呼が着信されれば、加入者が位置するネットワークに関係なく通話連結するように設定されたと仮定すれば、加入者がパートナーネットワーク２００に位置する状態で主番号に呼が着信されれば、ＲＳＣＰ１２０またはホームネットワーク１００のＧＭＳＣ１６０は主番号に呼が着信されたことを知らせるＳＭＳを生成して移動通信端末機に伝送し、副番号に呼が着信されれば、ＲＳＣＰ１２０による制御によって移動通信端末機への呼着信を行って通話が連結されるようにする。
【００７７】
ＧＬＲ１３０は関門位置レジスターともいい、相手ネットワークに対してホーム位置レジスター（ＨＬＲ）の機能をする。また、ＧＬＲ１３０はパートナーネットワーク２００のＣＣＢＳ２１０とホームネットワーク１００のＣＣＢＳ１１０の間のＳＩＭＮサービス加入者のＭＳＩＳＤＮ範囲情報に基づいてＳＩＭＮサービス加入者のデータベースを生成し、移動通信端末機がパートナーネットワーク２００に位置する場合、パートナーネットワーク２００のＭＳＣ２３０にＭＳＲＮを要請して受信し、受信されたＭＳＲＮをＨＬＲ１４０に伝送する。
【００７８】
ＨＬＲ１４０はホーム位置レジスターともいい、移動通信交換器で加入者の端末機情報、加入情報、位置情報、及び認証機能などを持つ移動通信加入者のデータベースである。ＨＬＲ１４０は、主番号または副番号への呼着信が発生した場合、ＧＭＳＣ１６０から伝送されたＳＲＩ信号を受信し、移動通信端末機の位置情報に基づいて移動通信端末機が位置するＭＳＣにＭＳＲＮを要請して受信し、受信されたＭＳＲＮをＧＭＳＣ１６０またはＲＳＣＰ１２０に伝送する。
【００７９】
ここで、ＨＬＲ１４０は、移動通信端末機がホームネットワーク１００または第３者ネットワーク３００に位置する場合、ＳＲＩ信号がＧＭＳＣ１６０から受信されているため、ＭＳＲＮをＧＭＳＣ１６０に伝送し、移動通信端末機がパートナーネットワーク２００に位置する場合、ＳＲＩ信号がＲＳＣＰ１２０から受信されているため、ＭＳＲＮをＲＳＣＰ１２０に伝送する。
【００８０】
ＭＳＣ１５０、２３０、３１０は移動通信交換器ともいい、固定ネットワークと連動して移動通信加入者に回線交換サービスを提供する。ＭＳＣ１５０、２３０、３１０は、移動通信ネットワークと一般電話ネットワーク、または同一または相異なる移動通信ネットワークにある互いに異なる移動通信交換器の間の使用者トラフィックのためのアクセスポイントを構成する役目をし、付加的機能として、移動電話加入者の位置を追跡していつも移動電話サービスを提供するようにし、場所が変わっても通信サービスを持続させる通話チャネル転換（ｈａｎｄ−ｏｆｆ）機能を持っている。
【００８１】
ここで、ＭＳＣ１５０は、ＨＬＲ１４０によってＭＳＲＮを要請するＰＲＮ（ｐｒｏｖｉｄｅ  ｒｏａｍｉｎｇ  ｎｕｍｂｅｒ）信号が受信されれば、ＭＳＲＮを含むＰＲＮ  ａｃｋ信号をＨＬＲ１４０に伝送し、ＧＭＳＣ１６０からＩＡＭ信号を受信すれば、ＩＡＭに含まれたＭＳＲＮを利用して移動通信端末機に着信された呼を連結する。
【００８２】
ＭＳＣ２３０は、ホームネットワーク１００のＧＬＲ１３０からＭＳＲＮを要請するＰＲＮ信号が受信されれば、ＭＳＲＮを含むＰＲＮ  ａｃｋ信号をホームネットワーク１００のＧＬＲ１３０に伝送し、ＧＭＳＣ２４０からＩＡＭ信号を受信すれば、移動通信端末機に着信された呼を連結する。
【００８３】
ＧＭＳＣ１６０、２４０、３２０は関門移動通信交換器ともいい、番号が自ネットワーク番号の場合、ＨＬＲ１４０からＭＡＰの着信加入者の位置を問い合わせ、その結果として受けたＭＳＲＮを利用して着信ＭＳＣに呼を連結する機能をする。また、ＧＭＳＣ１６０、２４０、３２０は、番号が他のネットワーク番号の場合には、他のネットワークの関門移動通信交換器にＩＳＵＰ呼を連結して他のネットワークの関門移動通信交換器で呼が着信されるようにする。
【００８４】
この際、ＧＭＳＣ１６０は、移動通信端末機の副番号に呼が着信された場合、パートナーネットワーク２００のＧＭＳＣ２４０から副番号に相応する主番号を含むＩＡＭ（ｉｎｉｔｉａｌ  ａｄｄｒｅｓｓ  ｍｅｓｓａｇｅ）信号を受信し、ＨＬＲ１４０に主番号を含むＳＲＩ信号を伝送することができ、ＭＳＲＮに相応するＭＳＣにＩＡＭ信号を伝送することができる。すなわち、ＧＭＳＣ１６０は、ＭＳＲＮがホームネットワーク１００のＭＳＣを意味する場合、ホームネットワーク１００のＭＳＣ１５０にＩＡＭ信号を伝送し、ＭＳＲＮが第３者ネットワーク３００のＭＳＣを意味する場合、第３者ネットワーク３００のＭＳＣ３１０にＩＡＭ信号を伝送する。ここで、ＭＳＲＮは呼を発信した移動通信端末機と呼を着信する移動通信端末機の間の呼をルーティングする番号であり、ＩＡＭ信号は呼処理と経路設定に必要な番号及びその他の情報を含む信号である。
【００８５】
また、ＧＭＳＣ２４０、３２０はホームネットワーク１００のＧＭＳＣ１６０と同一の機能をするもので、本発明では、移動通信端末機の副番号への呼着信が発生すれば、副番号を含むＳＲＩ信号をＲＳＣＰ１２０に伝送し、ＲＳＣＰ１２０からＳＲＩ  ａｃｋ信号を受信する。この際、ＲＳＣＰ１２０から受信されたＳＲＩ  ａｃｋ信号は副番号への呼着信不可に対する信号であるかあるいはホームネットワーク１００と既協約されたデータ及び主番号を含む信号であることができる。
【００８６】
ここで、ＧＭＳＣ２４０は、既協約されたデータ及び主番号を含むＳＲＩ  ａｃｋ信号を受信すれば、ホームネットワーク１００のＧＭＳＣ１６０に主番号を含むＩＡＭ信号を伝送する。
【００８７】
この際、ＲＳＣＰ１２０から受信されたＳＲＩ  ａｃｋ信号はＴＣＳＩを含む信号であることができ、ＧＭＳＣ２４０は、ＲＳＣＰ１２０でパートナーネットワーク２００とホームネットワーク１００の間の課金データを生成するように、移動通信端末機の副番号への呼着信による通話連結イベント及び通話終了イベントをＲＳＣＰ１２０に伝送することができる。
【００８８】
ＶＡＳ１７０はＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を基本とするＳＭＣＩ（Ｓｈｏｒｔ  Ｍｅｓｓａｇｅ  Ｃｌｉｅｎｔ  Ｉｎｔｅｒｆａｃｅ）を介してＳＭＳＣ１８０と接続される。ＶＡＳ１７０は、ＳＭＳＣ１８０との接続機能によってすべての付加情報サービスを処理し、ＳＭＳ（Ｓｈｏｒｔ  Ｍｅｓｓａｇｅ  Ｓｅｒｖｉｃｅ）に対する全般的な加入者管理、課金管理、及び運営管理の機能をする。
【００８９】
ＳＭＳＣ１８０はメッセージ伝送部ともいい、ＲＳＣＰ１２０によって生成された副番号への呼着信に対するＳＭＳを、ＶＡＳ１７０を介して受信し、ＳＭＳ用ＳＲＩ信号をＨＬＲ１４０に伝送し、ＨＬＲ１４０から着信加入者が位置しているＭＳＣ（またはＳＧＳＮ情報）ＧＴを含むＳＲＩ  ａｃｋを受信し、ＭＳＣ  ＧＴを利用して着信加入者にＳＭＳを伝送する。ここで、ＧＴはＳＣＣＰ階層でルーティングするための値で、ＩＰと同一概念として使用される。
【００９０】
ＳＧＳＮ２２０はパケット交換サポートノードともいい、サービス地域内でＭＳ（Ｍｏｂｉｌｅ  Ｓｔａｔｉｏｎ）とのデータパケット伝達を担当する役目をする。その外にも、ＳＧＳＮ２２０は、パケットルーティング及び伝送、移動性管理、論理的リンク管理、認証及び料金賦課などの機能を持つ。
【００９１】
図２は図１の移動通信端末機の呼処理システムによる、ＧＬＲによるデータベースの生成過程を示すフローチャートである。
【００９２】
図２を参照すれば、ホームネットワーク１００のＣＣＢＳ１１０とパートナーネットワーク２００のＣＣＢＳ２１０は、ＳＩＭＮサービス加入者のホームネットワーク１００でのＭＳＩＳＤＮ範囲とパートナーネットワーク２００でのＭＳＩＳＤＮ範囲についての情報を交換する（Ｓ１０１）。ＳＩＭＮサービスは、一つのＩＭＳＩに対応して二つのＭＳＩＳＤＮ番号を付与する。この際、ホームネットワーク２００で付与されたＭＳＩＳＤＮ番号を主番号（ｐｒｉｍａｒｙ  ｎｏ．）といい、パートナーネットワーク１００で付与されたＭＳＩＳＤＮ番号を副番号（ｓｅｃｏｎｄａｒｙ  ｎｏ．）と言う。このような主番号及び副番号の交換はオフライン上でも、オンライン上でも行われることができる。
【００９３】
ホームネットワーク１００のＣＣＢＳ１１０は、ホームネットワーク１００でのＩＭＳＩ（Ｉｎｔｅｒｎａｔｉｏｎａｌ  Ｍｏｂｉｌｅ  Ｓｔａｔｉｏｎ  Ｉｄｅｎｔｉｔｙ）／主番号のＭＳＩＳＤＮについての情報とともにパートナーネットワーク２００での副番号のＭＳＩＳＤＮについての情報をＲＳＣＰ１２０に伝送してサービス登録する（Ｓ１０２）。
【００９４】
ＲＳＣＰ１２０は、ＩＭＳＩ／ホームネットワーク１００の主番号のＭＳＩＳＤＮについての情報、及びパートナーネットワーク２００の副番号についての情報を登録して保存する（Ｓ１０３）。また、ＲＳＣＰ１２０はパートナーネットワーク２００のＣＣＢＳ２１０と互いにサービス登録を通知し（Ｓ１０４）、ホームネットワーク１００のＧＬＲ１３０に対してもＳＩＭＮサービスについての情報を登録する（Ｓ１０５）。
【００９５】
ＧＬＲ１３０は、ＲＳＣＰ１２０から受信されたサービス登録情報に基づいてＳＩＭＮサービス加入者のデータベースを生成する（Ｓ１０６）。
【００９６】
図３は図１の移動通信端末機の呼処理システムによる、ＲＳＣＰによる加入者位置情報アップデート過程を示すフローチャートである。
【００９７】
ホームネットワーク１００の移動通信端末機（以下、ＭＳ（Ｍｏｂｉｌｅ  Ｓｔａｔｉｏｎ）と混用して使用する）１０１がパートナーネットワーク２００にある場合、ＭＳ１０１からの位置登録信号がパートナーネットワーク２００のＳＧＳＮ２２０に伝達されれば（Ｓ２０１）、パートナーネットワーク２００のＳＧＳＮ２２０はホームネットワーク１００のＧＬＲ１３０にＵＧＬ（Ｕｐｄａｔｅ  ＧＰＲＳ  Ｌｏｃａｔｉｏｎ）信号を伝送する（Ｓ２０２）。ＳＧＳＮ２２０からＧＬＲ１３０に伝送されるＵＧＬには基本的にＳＧＳＮ２２０のＧＴが含まれている。
【００９８】
ホームネットワーク１００のＧＬＲ１３０は、受信されたＵＧＬ信号をＨＬＲ１４０に伝送し、ＨＬＲ１４０からＩＳＤ（Ｉｎｓｅｒｔ  Ｓｕｂｓｃｒｉｂｅｒ  Ｄａｔａ）メッセージを受信する（Ｓ２０３）。ここで、ＩＳＤメッセージはＨＬＲ１４０がＳＧＳＮ１２０に加入者プロファイルを伝送するメッセージである。その後、ＩＳＤメッセージに対するＧＬＲ１３０のＩＳＤ応答信号と、ＵＧＬに対するＨＬＲ１４０のＵＧＬ応答信号が交換される。
【００９９】
ＨＬＲ１４０に伝送されたＵＧＬに対する応答信号が受信された後、ＧＬＲ１３０はＭＳ１０１がＳＩＭＮサービスに加入したか否かを判断し（Ｓ２０４）、ＭＳ１０１がＳＩＭＮサービスの加入者の場合、ＩＳＤメッセージをパートナーネットワーク２００のＳＧＳＮ２２０に伝送する。この際、ＧＬＲ１３０がＨＬＲ１４０から受信したＩＳＤに含まれたＭＳＩＳＤＮは主番号であり、ＧＬＲ１３０はパートナーネットワーク２００のＳＧＳＮ２２０に伝送するＩＳＤに副番号のＭＳＩＳＤＮを含ませて伝送する。ＵＧＬには基本的に移動通信加入者のＩＭＳＩが含まれており、ＲＳＣＰ１２０及びＧＬＲ１３０はＳＩＭＮサービス加入者のＩＭＳＩ、主番号（Ｐｒｉｍａｒｙ  ＭＳＩＳＤＮ）、及び副番号（Ｓｅｃｏｎｄａｒｙ  ＭＳＩＳＤＮ）を管理する。よって、ＧＬＲ１３０は、ＵＧＬに含まれたＩＭＳＩに基づいて移動通信加入者がＳＩＭＮサービス加入者であるか否かを判断することができ、またＵＧＬに含まれたＳＧＳＮ２２０のＧＴによって、ＳＩＭＮサービスが適用されるパートナーネットワークで位置登録されたものであるかを判断することができる。
【０１００】
また、ＧＬＲ１３０は、パートナーネットワーク２００のＳＧＳＮ２２０からのＩＳＤ応答信号に対応してＵＧＬ応答信号をＳＧＳＮ２２０に伝送し（Ｓ２０５）、ＲＳＣＰ１２０に位置登録情報を伝送する。
【０１０１】
ＲＳＣＰ１２０は、ＧＬＲ１３０から受信された位置登録情報に基づいて移動通信加入者が位置するネットワーク情報（ＳＧＳＮＧＴ）をデータベースに登録及び管理する（Ｓ２０６、Ｓ２０７）。呼の流れを参照すれば、ＳＧＳＮ２２０からＧＬＲ１３０に伝送されるＵＧＬにはＳＧＳＮ２２０のＧＴが含まれており、そのＳＧＳＮ２２０のＧＴはＲＳＣＰ１２０によって登録及び管理される。
【０１０２】
一方、パートナーネットワーク２００のＳＧＳＮ２２０はＧＬＲ１３０からのＵＧＬ応答信号に対応してパートナーネットワーク２００のＭＳＣ２３０にＵＬ（Ｕｐｄａｔｅ  Ｌｏｃａｔｉｏｎ）要請信号を伝送し（Ｓ２０８）、ＭＳＣ２３０はホームネットワーク１００のＧＬＲ１３０にＵＬ信号を伝送し（Ｓ２０９）、ＧＬＲ１３０がＵＬ信号をＨＬＲ１４０に再伝送する。ＭＳＣ２３０からＧＬＲ１３０に伝送されるＵＬには基本的にＭＳＣ２３０のＧＴが含まれている。
【０１０３】
ＨＬＲ１４０は受信されたＵＬ信号に対してＩＳＤをＧＬＲ１３０に伝送し、ＧＬＲ１３０とＨＬＲ１４０の間にＩＳＤ応答信号及びＵＬ応答信号が交換される（Ｓ２１０）。
【０１０４】
ＨＬＲ１４０に伝送されたＵＧＬに対する応答信号が受信された後、ＧＬＲ１３０は加入者がＳＩＭＮサービスに加入したか否かを判断し（Ｓ２１１）、ＳＩＭＮサービス加入者の場合、ＩＳＤをパートナーネットワーク２００のＭＳＣ２３０に伝送する。この際、ＧＬＲ１３０がＨＬＲ１４０から受信したＩＳＤに含まれたＭＳＩＳＤＮは主番号であり、ＧＬＲ１３０はパートナーネットワーク２００のＭＳＣ２３０に伝送するＩＳＤに副番号のＭＳＩＳＤＮを含ませて伝送する。パートナーネットワーク２００での位置登録であるか否かはＵＧＬまたはＵＬに含まれたＧＴ情報から、ローマー（ｒｏａｍｅｒ）が位置する事業者情報を識別することができる。例えば、ＫＴＦの場合には、ＵＧＬ／ＵＬなどに含まれたＧＴ値が８２１０２９ＸＸＸＸＸＸのような形態であり、日本のＤＣＭの場合には、８１９０５４２ＸＸＸＸＸＸのような形態である。よって、ＵＧＬ／ＵＬに含まれたＧＴから、ローマーがどの事業者ネットワークに位置しているかを識別することができる。
【０１０５】
ＧＬＲ１３０はパートナーネットワーク２００のＭＳＣ２３０からのＩＳＤ応答信号に対応してＵＬ応答信号を伝送し（Ｓ２１２）、パートナーネットワーク２００のＭＳＣ２３０はＵＬ応答信号をＳＧＳＮ２２０に伝送し、ＳＧＳＮ２２０はＵＬ応答信号に対応してＭＳ１０１の接近（ａｔｔａｃｈ）を許容する（Ｓ２１３、Ｓ２１４）。
【０１０６】
また、ＧＬＲ１３０はＲＳＣＰ１２０に位置登録情報を伝送し、ＲＳＣＰ１２０はＧＬＲ１３０から受信した位置登録情報に基づいて移動通信加入者が位置するネットワーク情報（ＭＳＣ  ＧＴ）をデータベースとして登録及び管理する（Ｓ２１５、Ｓ２１６）。呼の流れを参照すれば、ＭＳＣ２３０からＧＬＲ１３０に伝送されるＵＬにはＭＳＣ２３０のＧＴが含まれており、そのＭＳＣ２３０のＧＴはＲＳＣＰ１２０によって登録及び管理される。
【０１０７】
図４は図１の移動通信端末機の呼処理システムによる、ホームネットワークで主番号を用いて呼を発信する場合の発信呼処理方法を示すフローチャートである。
【０１０８】
同図を参照すれば、ＭＳ１０１がホームネットワーク１００で着信番号をＢとする呼発信信号を伝送すれば（Ｓ３０１）、ホームネットワーク１００のＭＳＣ１５０はＶＬＲ（Ｖｉｓｉｔｏｒ  Ｌｏｃａｔｉｏｎ  Ｒｅｇｉｓｔｅｒ）（図示せず）がホームネットワーク１００のＭＳＩＳＤＮを含んでいるため、発信番号をホームネットワーク１００の主番号に指定し（Ｓ３０２）、これによって着信番号をＢに指定し、発信番号をＡに指定するＩＡＭ（Ｉｎｉｔｉａｔｅ  Ａｄｄｒｅｓｓ  Ｍｅｓｓａｇｅ）をＧＭＳＣ１６０に伝送する（Ｓ３０３）。
【０１０９】
図５は図１の移動通信端末機の呼処理システムによる、パートナーネットワークで主番号を用いて呼を発信する場合の発信呼処理方法を示すフローチャートである。
【０１１０】
ホームネットワーク１００で加入されたＭＳ１０１がパートナーネットワーク２００で主番号を用いて発信する場合（Ｓ４０１）、パートナーネットワーク２００のＭＳＣ２３０は、位置登録の際、加入者プロファイルがインテリジェントネットワーク加入者として設定されたため、呼発信処理の前にインテリジェントネットワーク処理のためにホームネットワーク１００のＲＳＣＰ１２０にＩＤＰ（Ｉｎｉｔｉａｔｅ  Ｄｅｔｅｃｔ  Ｐｏｉｎｔ）メッセージを伝送する（Ｓ４０２）。ここで、ＩＤＰはＭＳＣ／ＳＧＳＮがインテリジェントネットワーク情報（ＣＳＩ：ＣＡＭＥＬ  Ｓｕｂｓｃｒｉｐｔｉｏｎ  Ｉｎｆｏｒｍａｔｉｏｎ）によってＳＣＰでサービスロジックを駆動するように要請するメッセージである。また、ＭＳ１０１がパートナーネットワーク２００で主番号を用いて呼を発信する場合には、パートナーネットワーク２００で副番号を用いて呼を発信する場合と区分して着信番号の前に付加コード（‘ｓｐｅｃｉａｌ  ｐｒｅｆｉｘ’とも言う）を付けて発信することが好ましい。図には着信番号の前に‘＊２２’の付加コードが添付されたものとして示した（パートナーネットワーク２００で副番号を用いて呼を発信する場合については後述する）。しかし、このような付加コードは移動通信端末機の機種によって着信番号の後に添付されることもできる。
【０１１１】
ホームネットワーク１００のＲＳＣＰ１２０は、受信されたＩＤＰメッセージに含まれた発信交換器ＧＴ情報を検索して発信番号変更が提供されるパートナーネットワークであるか否かを分かり（Ｓ４０３）、着信番号に付加コードが付いているかを判断する（Ｓ４０４）。
【０１１２】
着信番号の前に付加コードが付いている場合、ＲＳＣＰ１２０はパートナーネットワーク２００で主番号を用いて呼が発信されたと判断し、それに対応するＣＯＮＮ信号（ｃｏｎｎｅｃｔ信号）をパートナーネットワーク２００のＭＳＣ２３０に伝送する（Ｓ４０５）。この際、ＲＳＣＰ１２０によってパートナーネットワーク２００に伝送される信号にはＤＲＡをＢ（着信番号）に指定し、ＧＮ（Ｇｅｎｅｒｉｃ  Ｎｕｍｂｅｒ）をＡ（主番号）に指定する信号が含まれることが好ましい。
【０１１３】
ホームネットワーク１００のＲＳＣＰ１２０から受信されたＣＯＮＮ信号に基づき、パートナーネットワーク２００のＭＳＣ２３０は、ＭＳ１０１の発信番号をＧＮ、つまり主番号（Ａ）にセットし（Ｓ４０６）、着信番号を解釈し（Ｓ４０７）、ＧＭＳＣ２４０に発信番号をＡにし着信番号をＢにするＩＡＭを伝送する（Ｓ４０８）。
【０１１４】
図６は図１の移動通信端末機の呼処理システムによる、第３者ネットワークで主番号を用いて呼を発信する場合の発信呼処理方法を示すフローチャートである。
【０１１５】
同図を参照すれば、ＭＳ１０１が第３者ネットワーク３００で着信番号をＢにする呼発信信号を伝送すれば（Ｓ５０１）、第３者ネットワーク３００のＭＳＣ３１０は、ＶＬＲ（図示せず）がホームネットワーク１００のＭＳＩＳＤＮを含んでいるので、発信番号をホームネットワーク１００の主番号であるＡに指定し（Ｓ５０２）、それによって着信番号をＢに指定し発信番号をＡに指定するＩＡＭをＧＭＳＣ３２０に伝送する（Ｓ５０３）。
【０１１６】
図７は図１の移動通信端末機の呼処理システムによる、ホームネットワークで副番号を用いて呼を発信する場合の発信呼処理方法を示すフローチャートである。
【０１１７】
ここで、ホームネットワーク１００のＭＳＣ１５０はＮ−ＣＳＩを生成する機能を有することが好ましく（Ｓ６０１）、ＭＳＣ１５０はホームネットワーク１００でＭＳ１０１が発信呼を伝送する場合、交換器に設定されたＮ−ＣＳＩ情報によってＲＳＣＰ１２０にＩＤＰメッセージを伝送する（Ｓ６０２、Ｓ６０３）。ここで、ＭＳ１０１がホームネットワーク１００で副番号を用いて呼を発信する場合には、ホームネットワーク１００で主番号を用いて呼を発信する場合と区分して、着信番号の前に付加コードを付けて発信することが好ましい。図には着信番号の前に‘＊２２’の付加コードが添付されたものとして示した。
【０１１８】
ホームネットワーク１００のＲＳＣＰ１２０は、受信されたＩＤＰメッセージに基づいて発信ＧＴをチェックしてどんな事業者ネットワークであるかを検索し（Ｓ６０４）、着信番号に付加コードが付いているかを判断する（Ｓ６０５）。ＲＳＣＰ１２０は、特定付加コードが存在する場合、発信事業者ネットワークによってＣＯＮＮに与える番号を主番号または副番号に決定しなければならないからである。
【０１１９】
着信番号の前に付加コードが付いている場合、ＩＤＰに伝送されたＭＳＣ  ＧＴがホームネットワーク１００であるので、ＲＳＣＰ１２０はホームネットワーク１００で副番号を用いて呼が発信されたと判断し、それに対応するＣＯＮＮ信号（ｃｏｎｎｅｃｔ信号）をＭＳＣ１５０に伝送する（Ｓ６０６）。この際、ＲＳＣＰ１２０によってＭＳＣ１５０に伝送される信号には、ＤＲＡをＢ（着信番号）に指定しＧＮをＡ’（副番号）に指定する信号が含まれることが好ましい。
【０１２０】
ＲＳＣＰ１２０から受信されたＣＯＮＮ信号に基づき、ＭＳＣ１５０はＭＳ１０１の発信番号をＧＮ、つまり副番号（Ａ’）にセットし（Ｓ６０７）、着信番号を解釈して（Ｓ６０８）ＧＭＳＣ１６０に発信番号をＡ’にするＩＡＭを伝送する（Ｓ６０９）。
【０１２１】
図８は図１の移動通信端末機の呼処理システムによる、パートナーネットワークで副番号を用いて呼を発信する場合の発信呼処理方法を示すフローチャートである。
【０１２２】
ＭＳ１０１がパートナーネットワーク２００で副番号を用いて発信信号を伝送すれば（Ｓ７０１）、パートナーネットワーク２００のＭＳＣ２３０はホームネットワーク１００のＲＳＣＰ１２０にＩＤＰメッセージを伝送し（Ｓ７０２）、ホームネットワーク１００のＲＳＣＰ１２０はパートナーネットワーク２３０から受信されたＩＤＰメッセージに基づいて発信ＭＳＣ  ＧＴを検索し（Ｓ７０３）、ローミングサービスのロジックを行ってパートナーネットワーク２００のＭＳＣ２３０にＣＯＮＮ信号を伝送する（Ｓ７０４、Ｓ７０５）。ここで、ローミングサービスのロジックは前述した図４〜図７にはその説明を省略したが、同様に含まれるものであり、海外ローミングサービスを遂行するための一般的なロジックを言う。この際、ＲＳＣＰ１２０によってパートナーネットワーク２００のＭＳＣ２３０に伝送されるＣＯＮＮ信号にはＤＲＡを着信番号Ｂに指定する信号が含まれることが好ましい。
【０１２３】
ここで、ＶＬＲ（図示せず）がパートナーネットワーク２００のＭＳＩＳＤＮを含んでいるため（パートナーネットワーク２００での位置登録の際、パートナーネットワーク２００のＭＳＩＳＤＮをＩＳＤに含ませて与え、よってパートナーネットワーク２００のＶＬＲは副番号を持っている）、パートナーネットワーク２００のＭＳＣ２３０は発信番号をパートナーネットワーク２００の副番号Ａ’に指定し（Ｓ７０６）、着信番号を解釈してパートナーネットワーク２００のＧＭＳＣ２４０に発信番号をＡ’にするＩＡＭを伝送する（Ｓ７０７、Ｓ７０８）。
【０１２４】
図９は図１の移動通信端末機の呼処理システムによる、パートナーネットワークに位置するＳＩＭＮサービス加入者端末機に呼着信に対するＳＭＳを伝達する方法を示すフローチャートで、ＳＩＭＮサービス加入者端末機の主番号に呼が着信された場合を示す。
【０１２５】
ここで、図９はＳＩＭＮサービス加入者が海外ローミングサービス加入の際にパートナーネットワークまたは第３者ネットワークに位置する場合、主番号に呼が着信されれば、ＳＭＳのみを受けるように設定した場合に対するものである。
【０１２６】
同図を参照すれば、ホームネットワーク１００のＧＭＳＣ１６０は主番号に呼が着信されれば、ＨＬＲ１４０にＳＲＩ信号を伝送し、ＨＬＲ１４０はＧＬＲ１３０にＳＩＭＮサービス加入者位置を把握するためのＰＲＮ信号を伝送する（Ｓ８０１〜Ｓ８０３）。
【０１２７】
ＧＬＲ１３０は主番号を持つ移動通信加入者がＳＩＭＮサービスを含む海外ローミングサービス加入者であるかを判断し、海外ローミングサービス加入者の場合、ＨＬＲ１４０に呼着信が不可である（Ａｂｓｅｎｔ  Ｓｕｂｓｃｒｉｂｅｒ）というＰＲＮ  ａｃｋ信号を伝送し、ＨＬＲ１４０はＧＭＳＣ１６０にＡｂｓｅｎｔ  Ｓｕｂｓｃｒｉｂｅｒを含むＳＲＩ  ａｃｋ信号を伝送する（Ｓ８０４〜Ｓ８０６）。
【０１２８】
ここで、ＧＬＲ１３０は、海外ローミングサービス加入者がホームネットワーク１００でないパートナーネットワーク２００または第３者ネットワーク３００に位置し、主番号に呼が着信された場合、ＳＭＳにだけ呼着信についての情報を受信するように設定されているため、ＨＬＲ１４０にＡｂｓｅｎｔ  Ｓｕｂｓｃｒｉｂｅｒを含むＰＲＮ  ａｃｋ信号を伝送する。
【０１２９】
この際、ＧＭＳＣ１６０は、発信端末機への呼着信が不可であるという音声を出力することができる。
【０１３０】
また、示されていないが、移動通信加入者の海外ローミングサービス加入の有無の判断結果及び主番号への呼着信の結果によって呼着信方法がＲＳＣＰ１２０によって遂行されることができ、その性能結果はＧＬＲ１３０に提供されることができる。
【０１３１】
ＧＬＲ１３０は、ＰＲＮ  ａｃｋ信号をＨＬＲに伝送した後、主番号に呼が着信されたことを知らせるＳＭＳを生成する（Ｓ８０７）。
【０１３２】
また、ＧＬＲ１３０は、生成されたＳＭＳをＶＡＳ１７０との信号送受信（ｓｕｂｍｉｔ  ＳＭ／ａｃｋ）によってＳＭＳＣ１８０に伝送する（Ｓ８０８、Ｓ８０９）。
【０１３３】
ＳＭＳＣ１８０は、ＳＭＳを受信する主番号を持つ移動通信端末機の位置を確認するために、ＨＬＲ１４０にＳＲＩ  ＦＯＲ  ＳＭ信号を伝送し、ＨＬＲ１４０からＳＩＭＮサービス加入者端末機が位置するＭＳＣ  ＧＴ情報を含むＳＲＩ  ＦＯＲ  ＳＭ  ａｃｋ信号を受信する（Ｓ８１０、Ｓ８１１）。
【０１３４】
ＳＭＳＣ１８０は、ＨＬＲ１４０から受信されたＭＳＣ  ＧＴ情報を利用してＳＭＳ伝達信号（ＭＴ  ＦＷ  ＳＭ：ｍｏｂｉｌｅ  ｔｅｒｍｉｎａｔｉｏｎ  ｆｏｒｗａｒｄｉｎｇ  ｓｈｏｒｔ  ｍｅｓｓａｇｅ）をパートナーネットワーク２００のＭＳＣ２３０に伝送し、パートナーネットワーク２００のＭＳＣ２３０を通じて、主番号に呼が着信されたことを知らせるＳＭＳをＳＩＭＮサービス加入者端末機１０１に伝達する（Ｓ８１２、Ｓ８１３）。
【０１３５】
パートナーネットワーク２００のＭＳＣ２３０は、ＳＩＭＮサービス加入者端末機１０１にＳＭＳが伝達されれば、ＭＴ  ＦＷ  ＳＭの応答信号（ＭＴ  ＦＷ  ＳＭ  ａｃｋ）をホームネットワーク１００のＳＭＳＣ１８０に伝送する（Ｓ８１４）。
【０１３６】
ＳＩＭＮサービス加入者端末機１０１は、海外ローミングサービス加入者が主番号に呼が着信されたことが分かるように、主番号に呼が着信されたというＳＭＳ内容を画面に表示する（Ｓ８１５）。
【０１３７】
つぎに、ＳＩＭＮサービス加入者端末機の副番号に呼が着信されるときの呼処理方法について説明する。
【０１３８】
図１０〜図１２は副番号の呼着信に対してＳＭＳのみを受信する場合に対するもので、副番号に呼が着信された場合、呼着信に対してＳＭＳのみを受信する項目がＳＩＭＮサービス加入者によって既に設定された場合を示す。
【０１３９】
図１０はホームネットワーク１００に位置するＳＩＭＮサービス加入者端末機１０１に呼着信に対するＳＭＳを伝達する過程に対する動作フローチャートである。
【０１４０】
図１０を参照すれば、ＳＩＭＮサービス加入者端末機１０１の副番号（Ｓ＃）に呼が着信されれば、パートナーネットワーク２００のＧＭＳＣ２４０は副番号を含むＳＲＩ信号をＲＳＣＰ１２０に伝送する（Ｓ９０１）。
【０１４１】
ＲＳＣＰ１２０は、ＳＲＩ信号が受信されれば、副番号を持つ移動通信加入者が海外ローミングサービス加入者、つまりＳＩＭＮサービス加入者であるかを判断し、海外ローミングサービス加入者の場合、副番号への呼着信に対するＳＭＳを伝送する過程を遂行するために、パートナーネットワーク２００のＧＭＳＣ２４０に副番号への呼着信が不可である（ｎｏ  ｐａｇｅ  ｒｅｓｐｏｎｓｅ）というＳＲＩ  ａｃｋ信号を伝送する（Ｓ９０２、Ｓ９０３）。
【０１４２】
ＲＳＣＰ１２０は、ＳＩＭＮサービス加入者端末機１０１に伝送するＳＭＳ、つまり副番号に呼が着信されたことを知らせるＳＭＳを生成し、生成されたＳＭＳをＶＡＳ１７０との信号送受信（ｓｕｂｍｉｔ  ＳＭ／ａｃｋ）によってＳＭＳＣ１８０に伝送する（Ｓ９０４〜Ｓ９０６）。
【０１４３】
ＳＭＳＣ１８０は、ＳＭＳを受信する副番号を持つ移動通信端末機の位置を確認するために、ＨＬＲ１４０にＳＲＩ  ＦＯＲ  ＳＭ信号を伝送し、ＨＬＲ１４０からＳＩＭＮサービス加入者端末機１０１が位置するＭＳＣ  ＧＴ情報を含むＳＲＩ  ＦＯＲ  ＳＭ  ａｃｋ信号を受信する（Ｓ９０７、Ｓ９０８）。
【０１４４】
ＳＭＳＣ１８０は、ＨＬＲ１４０から受信されたＭＳＣ  ＧＴ情報を利用してＭＴ  ＦＷ  ＳＭ信号をホームネットワーク１００のＭＳＣ１５０に伝送し、ＭＳＣ１５０を通じて、副番号に呼が着信されたことを知らせるＳＭＳをＳＩＭＮサービス加入者端末機１０１に伝達する（Ｓ９０９、Ｓ９１０）。
【０１４５】
ＭＳＣ１５０は、ＳＩＭＮサービス加入者端末機１０１にＳＭＳを伝達し、ＭＴ  ＦＷ  ＳＭ  ａｃｋ信号をＳＭＳＣ１８０に伝送する（Ｓ９１１）。
【０１４６】
ＳＩＭＮサービス加入者端末機１０１は、海外ローミングサービス加入者が副番号に呼が着信されたということが分かるように、ＭＳＣ１５０から受信されたＳＭＳ内容、つまり副番号に呼が着信されたという内容を画面に表示する（Ｓ９１２）。
【０１４７】
図１１はパートナーネットワークに位置するＳＩＭＮサービス加入者端末機に呼着信に対するＳＭＳを伝達する方法を示すフローチャートである。
【０１４８】
ここで、図１１に示すフローチャートの段階Ｓ１００１〜段階Ｓ１００８は図１０に示すフローチャートの段階Ｓ９０１〜段階Ｓ９０８と同様であるので、その動作は簡略に説明する。
【０１４９】
図１１を参照すれば、ＳＩＭＮサービス加入者端末機１０１の副番号（Ｓ＃）に呼が着信されれば、パートナーネットワーク２００のＧＭＳＣ２４０は副番号を含むＳＲＩ信号をＲＳＣＰ１２０に伝送し（Ｓ１００１）、ＲＳＣＰ１２０は、ＳＲＩ信号が受信されれば、副番号を持つ移動通信加入者が海外ローミングサービス加入者であるかを判断し、海外ローミングサービス加入者の場合、パートナーネットワーク２００のＧＭＳＣ２４０に副番号への呼着信が不可である（ｎｏ  ｐａｇｅ  ｒｅｓｐｏｎｓｅ）というＳＲＩ  ａｃｋ信号を伝送する（Ｓ１００２、Ｓ１００３）。
【０１５０】
ＲＳＣＰ１２０は、副番号に呼が着信されたことを知らせるＳＭＳを生成し、ＶＡＳ１７０を通じてＳＭＳＣ１８０に伝送する（Ｓ１００４〜Ｓ１００６）。
【０１５１】
ＳＭＳＣ１８０は、ＨＬＲ１４０に、ＳＭＳを受信するＳＩＭＮサービス加入者端末機の位置情報を要請して受信する（Ｓ１００７、Ｓ１００８）。
【０１５２】
ＳＭＳＣ１８０は、ＭＴ  ＦＷ  ＳＭ信号をパートナーネットワーク２００のＭＳＣ２３０に伝送し、パートナーネットワーク２００のＭＳＣ２３０を通じて、副番号に呼が着信されたことを知らせるＳＭＳをＳＩＭＮサービス加入者端末機１０１に伝達する（Ｓ１００９、Ｓ１０１０）。
【０１５３】
ＭＳＣ２３０は、ＳＩＭＮサービス加入者端末機１０１にＳＭＳを伝達し、ＭＴ  ＦＷ  ＳＭ  ａｃｋ信号をホームネットワーク１００のＳＭＳＣ１８０に伝送する（Ｓ１０１１）。
【０１５４】
ＳＩＭＮサービス加入者端末機１０１は、海外ローミングサービス加入者が副番号に呼が着信されたことが分かるように、副番号に呼が着信されたというＳＭＳ内容を画面に表示する（Ｓ１０１２）。
【０１５５】
図１２は第３者ネットワークに位置するＳＩＭＮサービス加入者端末機に呼着信に対するＳＭＳを伝達する方法を示すフローチャートである。
【０１５６】
ここで、図１２は、図１１に示すフローチャートと比較すると、ＳＭＳを第３者ネットワーク３００のＭＳＣ３１０に伝送してＳＩＭＮサービス加入者端末機１０１に伝達する過程（Ｓ１１０９〜Ｓ１１１１）だけが異なるので、段階Ｓ１１０９〜Ｓ１１１１を中心として説明する。
【０１５７】
すなわち、ＲＳＣＰ１２０がパートナーネットワーク２００のＧＭＳＣ２４０から副番号（Ｓ＃）を含むＳＲＩ信号を受信する段階Ｓ１１０１からＳＭＳＣ１８０がＨＬＲ１４０にＳＭＳを受信するＳＩＭＮサービス加入者端末機の位置情報を要請して受信する段階Ｓ１１０８は図１１に示す段階Ｓ１００１〜Ｓ１００８と同様である。
【０１５８】
もちろん、段階Ｓ１１０８でＨＬＲ１４０からＳＭＳＣ１８０に伝送されるＭＳＣ  ＧＴ情報は図１１に示すパートナーネットワーク２００のＭＳＣ  ＧＴ情報ではない第３者ネットワーク３００のＭＳＣ  ＧＴ情報である。
【０１５９】
ＳＭＳＣ１８０は、ＳＲＩ  ＦＯＲ  ＳＭ  ａｃｋ信号を受信すれば、ＭＴ  ＦＷ  ＳＭ信号を第３者ネットワーク３００のＭＳＣ３１０に伝送し、第３者ネットワーク３００のＭＳＣ３１０を通じて、副番号に呼が着信されたことを知らせるＳＭＳをＳＩＭＮサービス加入者端末機１０１で伝達し（Ｓ１１０９、Ｓ１１１０）、ＭＳＣ３１０は、ＭＴ  ＦＷ  ＳＭ信号の応答信号であるＭＴ  ＦＷ  ＳＭ  ａｃｋ信号をホームネットワーク１００のＳＭＳＣ１８０に伝送する（Ｓ１１１１）。
【０１６０】
段階Ｓ１１１２は図１０または図１１に示す段階Ｓ９１２またはＳ１０１２と同様であるので、以下にはその説明を省略する。
【０１６１】
図１３〜図１５は副番号への呼着信に対してＳＩＭＮサービス加入者端末機に呼を直接連結する場合を示すもので、副番号に呼が着信された場合、呼を直接連結する項目がＳＩＭＮサービス加入者によって既に設定された場合を示す。
【０１６２】
図１３はホームネットワークに位置するＳＩＭＮサービス加入者端末機に呼を連結する方法を示すフローチャートである。
【０１６３】
図１３を参照すれば、ＳＩＭＮサービス加入者端末機１０１の副番号（Ｓ＃）に呼が着信されれば、パートナーネットワーク２００のＧＭＳＣ２４０は副番号を含むＳＲＩ信号をＲＳＣＰ１２０に伝送する（Ｓ１２０１）。
【０１６４】
ＲＳＣＰ１２０は、ＳＲＩ信号が受信されれば、副番号を持つ移動通信加入者が海外ローミングサービス加入者であるかを判断し、海外ローミングサービス加入者の場合、副番号に呼が着信されたことを知らせるＵＳＳＤメッセージをＳＩＭＮサービス加入者端末機１０１に伝送することで、ＳＩＭＮサービス加入者端末機１０１の画面に副番号に呼が着信されたことを表示する（Ｓ１２０２〜Ｓ１２０４）。
【０１６５】
もちろん、ＵＳＳＤメッセージはＨＬＲに保存されたＳＩＭＮサービス加入者端末機の位置情報に基づいてＭＳＣ１５０を通じてＳＩＭＮサービス加入者端末機１０１に伝達されることは自明である。
【０１６６】
ＲＳＣＰ１２０は、ＳＩＭＮサービス加入者端末機１０１のアップデートされた位置情報に基づいてＳＩＭＮサービス加入者端末機加入者がパートナーネットワーク２００に位置しているかを判断する（Ｓ１２０５）。もちろん、示されていないが、ＲＳＣＰ１２０は、ＧＬＲ１３０から位置登録されたＳＩＭＮサービス加入者情報を受信し、受信されたＳＩＭＮサービス加入者情報によってＳＩＭＮ端末機加入者の位置を判断する。すなわち、ＳＩＭＮサービス加入者端末機１０１に電源が入力されれば、端末機が位置する情報、例えばネットワークに関連した情報などがＲＳＣＰ１２０にアップデートされ、ＲＳＣＰ１２０はアップデートされたＳＩＭＮサービス加入者端末機の位置情報に基づいてＳＩＭＮサービス加入者がホームネットワーク１００または第３者ネットワーク３００に位置しているかまたはパートナーネットワーク２００に位置しているかを判断する。
【０１６７】
この際、ＲＳＣＰ１２０は、副番号に対するＳＲＩ信号を受信すれば、ホームネットワーク１００のＨＬＲ１４０に主番号ＨＬＲ  ＡＴＩ（Ａｎｙ  Ｔｉｍｅ  Ｉｎｔｅｒｒｏｇａｔｉｏｎ）メッセージを伝送し、ＨＬＲ１４０からＳＩＭＮサービス加入者の位置情報を獲得することで、副番号に呼が着信されたＳＩＭＮサービス加入者の位置情報を獲得してＳＩＭＮサービス加入者の位置を確認することもできる。
【０１６８】
ＲＳＣＰ１２０は、ＳＩＭＮサービス加入者がホームネットワーク１００に位置するため、既協約されたデータ（ｓｐｅｃｉａｌ  ＰＦＸ）及び副番号に相応する主番号（Ｐ＃）を含むＳＲＩ  ａｃｋ信号をパートナーネットワーク２００のＧＭＳＣ２４０に伝送する（Ｓ１２０６）。
【０１６９】
パートナーネットワーク２００のＧＭＳＣ２４０は、着信番号（Ｃｄ：ｃａｌｌｅｄ）がＲＳＣＰ１２０から受信されたデータ（ｓｐｅｃｉａｌ  ＰＦＸ）及び主番号（Ｐ＃）からなるＩＡＭ信号をＩｎｔｌ（ｉｎｔｅｒｎａｔｉｏｎａｌ）  ＧＭＳＣ２４２に伝送し、Ｉｎｔｌ  ＧＭＳＣ２４２は着信番号（Ｃｄ）が主番号（Ｐ＃）からなるＩＡＭ信号をホームネットワーク１００のＧＭＳＣ１６０に伝送する（Ｓ１２０７、Ｓ１２０８）。
【０１７０】
段階Ｓ１２０６〜Ｓ１２０８から分かるように、本発明は、ＲＳＣＰ１２０がパートナーネットワーク２００と既協約されたデータであるｓｐｅｃｉａｌ  ＰＦＸをパートナーネットワーク２００のＧＳＭＣ２４０に伝送する。これは、パートナーネットワーク２００のＧＭＳＣ２４０が課金データを生成するとき、パートナーネットワーク２００とホームネットワーク１００の間で発生する課金をパートナーネットワーク２００と他のネットワーク３００の間で発生する課金と差別化するためのものである。
【０１７１】
ホームネットワーク１００のＧＭＳＣ１６０は、主番号を含むＳＲＩ信号をＨＬＲ１４０に伝送し、ＨＬＲ１４０は主番号及び既保存されたＳＩＭＮサービス加入者端末機の位置情報に基づいて該当のＭＳＣ１５０にＭＳＲＮを要請するＰＲＮ信号を伝送し、ＭＳＣ１５０からＭＳＲＮを含むＰＲＮ  ａｃｋ信号を受信し、受信されたＭＳＲＮを含むＳＲＩ  ａｃｋ信号をホームネットワーク１００のＧＭＳＣ１６０に伝送する（Ｓ１２０９）。
【０１７２】
ホームネットワーク１００のＧＭＳＣ１６０は、ＳＲＩ  ａｃｋ信号に含まれたＭＳＲＮに基づいてＭＲＳＮに相応するＭＳＣ１５０にＩＡＭ信号を伝送することで、ＭＳＣ１５０を通じてＳＩＭＮサービス加入者端末機１０１で副番号への呼が着信されるようにする（Ｓ１２１０）。
【０１７３】
ＳＩＭＮサービス加入者の受信によって通話が連結されれば、通話連結情報（ＡＣＭ／ＡＮＭ）がホームネットワーク１００のＭＳＣ１５０、ホームネットワーク１００のＧＭＳＣ１６０及びパートナーネットワーク２００のＩｎｔｌ  ＧＭＳＣ２４２を介してパートナーネットワーク２００のＧＭＳＣ２４０に伝達され、同様にＳＩＭＮサービス加入者の通話終了動作によって通話が終了すれば、通話終了情報（ＲＥＬ）がホームネットワーク１００のＭＳＣ１５０、ホームネットワーク１００のＧＭＳＣ１６０及びパートナーネットワーク２００のＩｎｔｌ  ＧＭＳＣ２４２を介してパートナーネットワーク２００のＧＭＳＣ２４０に伝達される（Ｓ１２１１、Ｓ１２１２）。
【０１７４】
パートナーネットワーク２００のＧＭＳＣ２４０は、ＳＩＭＮサービス加入者端末機の課金データ（ＣＤＲ：ｃａｌｌ  ｄａｔａ  ｒｅｃｏｒｄｓ）を生成し、その生成された課金データの中でＲＳＣＰ１２０から受信されたｓｐｅｃｉａｌ  ＰＦＸを持つ課金データを分類する（Ｓ１２１３、Ｓ１２１４）。
【０１７５】
すなわち、パートナーネットワーク２００のＧＭＳＣ２４０は、ＲＳＣＰ１２０から受信されたｓｐｅｃｉａｌ  ＰＦＸ、通話連結情報及び通話終了情報を利用して、パートナーネットワーク２００とホームネットワーク１００の間で発生したＳＩＭＮサービス加入者端末機の課金データのみを別に分類する。
【０１７６】
パートナーネットワーク２００のＣＣＢＳ２１０は、課金データを収集し、主番号に対する伝送課金手続き（ＴＡＰ：Ｔｒａｎｓｆｅｒｒｅｄ  Ａｃｃｏｕｎｔ  Ｐｒｏｃｅｄｕｒｅ）ファイルを作り、ホームネットワークのＣＣＢＳ１１０とＴＡＰファイルを交換する（Ｓ１２１５）。
【０１７７】
ホームネットワーク１００のＣＣＢＳ１１０は、ＴＡＰファイルを利用して、ＳＩＭＮサービス加入者にパートナーネットワーク２００とホームネットワーク１００の間で発生した料金を賦課する。
【０１７８】
この際、ＴＡＰファイルに着信加入者のＩＭＳＩを含ませるため、ＣＣＢＳ１１０は主番号／副番号のマッピングを管理し、ＳＲＩ  ａｃｋに伝送されたｓｐｅｃｉａｌ  ＰＦＸ及び主番号情報を利用してＳＩＭＮ端末機加入者のＩＭＳＩを捜してＴＡＰファイルに挿入することができる。
【０１７９】
図１４はパートナーネットワークに位置するＳＩＭＮサービス加入者端末機に呼を連結する方法を示すフローチャートである。
【０１８０】
図１４を参照すれば、ＳＩＭＮサービス加入者端末機（１０２１）の副番号（Ｓ＃）に呼が着信されれば、パートナーネットワーク２００のＧＭＳＣ２４０は副番号を含むＳＲＩ信号をＲＳＣＰ１２０に伝送する（Ｓ１３０１）。
【０１８１】
ＲＳＣＰ１２０は、ＳＲＩ信号が受信されれば、副番号を持つ移動通信加入者が海外ローミングサービス加入者であるかを判断し、海外ローミングサービス加入者の場合、副番号に呼が着信されたことを知らせるＵＳＳＤメッセージをＳＩＭＮサービス加入者端末機に伝送することで、ＳＩＭＮサービス加入者端末機の画面に副番号に呼が着信されたことを表示する（Ｓ１３０２〜Ｓ１３０４）。
【０１８２】
ここで、ＨＬＲ１４０は、ＳＩＭＮサービス加入者端末機の位置情報によってＳＩＭＮサービス加入者端末機１０１がパートナーネットワーク２００にあることが分かるので、ＵＳＳＤメッセージをＧＬＲ１３０に伝送し、ＧＬＲ１３０はＵＳＳＤメッセージをパートナーネットワーク２００のＭＳＣ２３０を通じてＳＩＭＮサービス加入者端末機１０１に伝達する。
【０１８３】
ＲＳＣＰ１２０はＳＩＭＮサービス加入者がパートナーネットワーク２００に位置しているかを判断するが、ここではＳＩＭＮサービス加入者がパートナーネットワークに位置するため、主番号を含むＳＲＩ信号をＨＬＲ１４０に伝送する（Ｓ１３０５、Ｓ１３０６）。
【０１８４】
ＨＬＲ１４０は、ＳＲＩ信号に含まれた主番号及び主番号に相応するＳＩＭＮサービス加入者端末機の位置情報に基づき、ＭＳＲＮを要請するＰＲＮ信号をＧＬＲ１３０を通じてパートナーネットワーク２００のＭＳＣ２３０に伝送し、パートナーネットワーク２００のＭＳＣ２３０からＭＳＲＮを含むＰＲＮ  ａｃｋ信号をＧＬＲ１３０を通じて受信する（Ｓ１３０７）。
【０１８５】
ＨＬＲ１４０は、ＲＳＣＰ１２０から受信したＳＲＩ信号に対する応答信号として、ＳＩＭＮサービス加入者端末機が位置するＭＳＣ２３０のＭＳＲＮを含むＳＲＩ  ａｃｋ信号をＲＳＣＰ１２０に伝送し、ＲＳＣＰ１２０は、パートナーネットワーク２００のＧＭＳＣ２４０から受信したＳＲＩ信号に対する応答信号として、ＨＬＲ１４０から受信したＭＳＲＮを含むＳＲＩ  ａｃｋ信号をパートナーネットワーク２００のＧＭＳＣ２４０に伝送する（Ｓ１３０８、Ｓ１３０９）。
【０１８６】
パートナーネットワーク２００のＧＭＳＣ２４０は、ＳＲＩ  ａｃｋ信号に含まれたＭＳＲＮに相応するＭＳＣ２３０にＩＡＭ信号を伝送し、ＭＳＣ２３０を通じてＳＩＭＮサービス加入者端末機１０１に副番号への呼が着信されるようにする（Ｓ１３１０）。
【０１８７】
ＭＳＣ２３０は、ＳＩＭＮサービス加入者の通話受信動作によって通話が連結されれば、通話連結情報（ＡＣＭ／ＡＮＭ）をＧＭＳＣ２４０に伝達し、通話が終了すれば、通話終了情報（ＲＥＬ）をＧＭＳＣ２４０に伝達し、着信（Ｔｅｒｍｉｎａｔｉｏｎ）ＣＤＲ（Ｔ−ＣＤＲ）を生成する（Ｓ１３１１〜Ｓ１３１３）。
【０１８８】
ＣＣＢＳ２１０は、ＭＳＣ２３０によって生成された課金データを収集し、Ｔ−ＣＤＲに対するＴＡＰファイルを作り、ホームネットワーク１００のＣＣＢＳ１１０とＴＡＰファイルを交換する（Ｓ１３１４）。
【０１８９】
ホームネットワーク１００のＣＣＢＳ１１０は、ＴＡＰファイルを利用して、ＳＩＭＮサービス加入者に副番号への呼着信によって発生した料金を賦課する。
【０１９０】
図１５は第３者ネットワークに位置するＳＩＭＮサービス加入者端末機に呼を連結する方法を示すフローチャートである。
【０１９１】
図１５を参照すれば、段階Ｓ１４０１〜Ｓ１４０８は図１３に示す段階Ｓ１２０１〜Ｓ１２０８と同様であるので、以下にはその説明を省略する。もちろん、段階Ｓ１４０３でＵＳＳＤメッセージが第３者ネットワーク３００のＭＳＣ３１０を通じてＳＩＭＮサービス加入者端末機１０１に伝達されることは図１３の段階Ｓ１２０３と異なる。
【０１９２】
ホームネットワーク１００のＧＭＳＣ１６０は、段階Ｓ１４０８でＩＡＭ信号が受信されれば、主番号を含むＳＲＩ信号をＨＬＲ１４０に伝送し、ＨＬＲ１４０は、主番号を持つＳＩＭＮサービス加入者端末機の位置情報を利用して、ＭＳＲＮを要請するＰＲＮ信号をＧＬＲ１６０を通じて第３者ネットワーク３００のＭＳＣ３１０に伝送し、第３者ネットワーク３００のＭＳＣ３１０からＭＳＲＮを含むＰＲＮ  ａｃｋ信号をＧＬＲ１３０を通じて受信し、第３者ネットワーク３００のＭＳＣ３１０に相応するＭＳＲＮを含むＳＲＩ  ａｃｋ信号をＧＭＳＣ１６０に伝送する（Ｓ１４０９）。
【０１９３】
ホームネットワーク１００のＧＭＳＣ１６０は、ＳＲＩ  ａｃｋ信号に含まれたＭＳＲＮに基づき、第３者ネットワーク３００のＭＳＣ３１０にＩＡＭ信号を伝送し、第３者ネットワーク３００のＭＳＣ３１０を通じてＳＩＭＮサービス加入者端末機１０１に副番号への呼が着信されるようにする（Ｓ１４１０）。
【０１９４】
段階Ｓ１４１１〜段階Ｓ１４１４は図１３の段階Ｓ１２１１〜Ｓ１２１４と同様であるので、以下にはその説明を省略する。
【０１９５】
ホームネットワーク１００のＧＭＳＣ１６０は、通信端末機の課金データを生成し、その生成された課金データの中でホームネットワーク１００と第３者ネットワーク３００の間で発生したローミング課金データを分類する（Ｓ１４１５、Ｓ１４１６）。すなわち、ホームネットワーク１００のＧＭＳＣ１６０は、第３者ネットワーク３００に位置するＳＩＭＮサービス加入者端末機１０１の副番号への呼が着信された場合に発生する課金の中でホームネットワーク１００と第３者ネットワーク３００の間で発生した国際回線使用に対する課金データを生成する。
【０１９６】
段階Ｓ１４１７は図１３の段階Ｓ１２１５と同様であるので、以下にはその説明を省略する。
【０１９７】
ホームネットワーク１００のＣＣＢＳ１１０は、パートナーネットワーク２００のＣＣＢＳ２１０から受信されたＴＡＰファイル及びホームネットワーク１００のＧＭＳＣ１６０から受信された課金データを利用して、第３者ネットワーク３００に位置するＳＩＭＮサービス加入者に海外ローミングによって発生した料金を賦課する。
【０１９８】
図１６はホームネットワークに位置するＳＩＭＮサービス加入者端末機に呼を連結する他の実施例を示すフローチャートで、ホームネットワークとパートナーネットワークの間で発生した課金データをホームネットワークで生成するための方法を示す。
【０１９９】
図１６を参照すれば、段階Ｓ１５０１〜Ｓ１５０５は図１３に示す段階Ｓ１２０１〜Ｓ１２０５と同様であるので、以下にはその説明を省略する。
【０２００】
Ｓ１５０５での判断結果、ＳＩＭＮサービス加入者端末機がホームネットワーク１００にあるため、ＲＳＣＰ１２０はＴＣＳＩを含むＳＲＩ  ａｃｋ信号をパートナーネットワーク２００のＧＭＳＣ２４０に伝送し、パートナーネットワーク２００のＧＭＳＣ２４０はＳＲＩ  ａｃｋに含まれたＴＣＳＩ情報を利用してＩＤＰ信号をＲＳＣＰ１２０に伝送する。ＲＳＣＰ１２０は、ＩＤＰ信号を受信すれば、ＳＩＭＮサービスロジックを駆動し、ＲＲＢにイベント通報条件、例えば通話連結及び通話終了などを設定して伝送し、既協約されたデータ（ｓｐｅｃｉａｌ  ＰＦＸ）及び主番号をＣＯＮＮＥＣＴに含むＲＲＢ／ＣＯＮＮＥＣＴ信号をパートナーネットワーク２００のＧＭＳＣ２４０に伝送する（Ｓ１５０６〜Ｓ１５０８）。
【０２０１】
パートナーネットワーク２００のＧＭＳＣ２４０がＲＳＣＰ１２０からＲＲＢ／ＣＯＮＮＥＣＴ信号を受信すれば、ＣＯＮＮＥＣＴに含まれたＤＲＡ（Ｄｅｓｔｉｎａｔｉｏｎ  Ｒｏｕｔｉｎｇ  Ａｄｄｒｅｓｓ）を参照して着信番号を分析して呼を開始する。ＩＡＭ信号をＩｎｔｌ  ＧＭＳＣ２４２に伝送する段階Ｓ１５０９からホームネットワーク１００に位置するＳＩＭＮサービス加入者端末機１０１がホームネットワーク１００のＭＳＣ１５０を通じて呼を着信する段階Ｓ１５１２は、図１３に示す段階Ｓ１２０７〜Ｓ１２１０とその動作が同様であるので、以下にはその説明を省略する。
【０２０２】
段階Ｓ１５１２でＳＩＭＮサービス加入者端末機１０１が副番号への呼着信を受け、ＳＩＭＮサービス加入者の動作によって通話が連結されれば、ＭＳＣ１５０は通話連結情報（ＡＣＭ／ＡＮＭ）をホームネットワーク１００のＧＭＳＣ１６０及びパートナーネットワーク２００のＩｎｔｌ  ＧＭＳＣ２４２を通じてパートナーネットワーク２００のＧＭＳＣ２４０に伝送し、パートナーネットワーク２００のＧＭＳＣ２４０は、ＲＳＣＰ１２０でＣＤＲを生成するように、通話連結に相応する情報ＥＲＢ（ｔＡｎｓｗｅｒ）をＲＳＣＰ１２０に伝送する（Ｓ１５１３、Ｓ１５１４）。
【０２０３】
同様に、ＳＩＭＮサービス加入者の動作によって通話が解除されれば、ＭＳＣ１５０は通話終了情報（ＲＥＬ）をホームネットワーク１００のＧＭＳＣ１６０及びパートナーネットワーク２００のＩｎｔｌ  ＧＭＳＣ２４２を通じてパートナーネットワーク２００のＧＭＳＣ２４０に伝送し、パートナーネットワーク２００のＧＭＳＣ２４０は通話終了に相応する情報ＥＲＢ（ｔＤｉｓｃｏｎｎｅｃｔ）をＲＳＣＰ１２０に伝送する（Ｓ１５１５、Ｓ１５１６）。
【０２０４】
ＲＳＣＰ１２０は、段階Ｓ１５１４及びＳ１５１６で受信された二つの情報に基づいてＳＩＭＮサービス加入者端末機のホームネットワーク１００とパートナーネットワーク２００の間で発生した課金データ（ＣＤＲ）を生成し（Ｓ１５１７）、パートナーネットワーク２００のＧＭＳＣ２４０にＦＣＩ（Ｆｕｒｎｉｓｈ  Ｃｈａｒｇｉｎｇ  Ｉｎｆｏｒｍａｔｉｏｎ）信号及びＲＥＬＥＡＳＥ  Ｃａｌｌ信号を伝送する。
【０２０５】
ここで、ＦＣＩ信号は、課金する番号及びサービス種類などのように事業者が任意に設定して使用することができる多くの情報を含む。
【０２０６】
パートナーネットワーク２００のＣＣＢＳ２１０は、ＲＳＣＰ１２０によって生成された課金データを収集してＴＡＰファイルを作り（Ｓ１５１８）、ホームネットワーク１００のＣＣＢＳ１１０とＴＡＰファイルを交換する。
【０２０７】
この際、ＲＳＣＰ１２０は主番号／副番号／ＩＭＳＩ情報などをすべて管理しているため、ＣＤＲに主番号のＩＭＳＩを保存することができる。
【０２０８】
ホームネットワーク１００のＣＣＢＳ１１０は、ＴＡＰファイルを利用して、ＳＩＭＮサービス加入者にパートナーネットワーク２００とホームネットワーク１００の間で発生した料金を賦課する。
【０２０９】
図１７は第３者ネットワークに位置するＳＩＭＮサービス加入者端末機に呼を連結する他の実施例を示すフローチャートで、ホームネットワークとパートナーネットワークの間で発生した課金データをホームネットワークで生成するための方法を示す。
【０２１０】
図１７を参照すれば、段階Ｓ１６０１は図１５に示す段階Ｓ１４０１〜Ｓ１４０５と同様であるので、以下にはその説明を省略する。
【０２１１】
段階Ｓ１６０２は図１６に示す段階Ｓ１５０６〜Ｓ１５１０と同様である。すなわち、Ｓ１６０１でＳＩＭＮサービス加入者端末機１０１が第３者ネットワーク３００にあるため、ＲＳＣＰ１２０はＴＣＳＩを含むＳＲＩ  ａｃｋ信号をパートナーネットワーク２００のＧＭＳＣ２４０に伝送し、パートナーネットワーク２００のＧＭＳＣ２４０からＩＤＰ信号を受信すれば、ｓｐｅｃｉａｌ  ＰＦＸ及び主番号を含むＲＲＢ／ＣＯＮＮＥＣＴ信号をパートナーネットワーク２００のＧＭＳＣ２４０に伝送し、パートナーネットワーク２００のＧＭＳＣ２４０がＲＳＣＰ１２０からＲＲＢ／ＣＯＮＮＥＣＴ信号を受信し、ＩＡＭ信号をＩｎｔｌ  ＧＭＳＣ２４２を通じてホームネットワーク１００のＧＭＳＣ１６０に伝送する。
【０２１２】
また、段階Ｓ１６０３及びＳ１６０４は図１５に示す段階Ｓ１５１１〜Ｓ１５１３と類似している。すなわち、ホームネットワーク１００のＧＭＳＣ１６０が主番号を含むＳＲＩ信号をＨＬＲ１４０に伝送し、ＨＬＲ１４０はＰＲＮ信号をＧＬＲ１３０を通じて第３者ネットワーク３００のＭＳＣ３１０に伝送し、第３者ネットワーク３００のＭＳＣ３１０からＭＳＲＮを含むＰＲＮ  ａｃｋ信号をＧＬＲ１３０を通じて受信し、ＭＳＲＮを含むＳＲＩ  ａｃｋ信号をＧＭＳＣ１６０に伝送する（Ｓ１６０３）。また、ホームネットワーク１００のＧＭＳＣ１６０は、ＳＲＩ  ａｃｋ信号に含まれたＭＳＲＮに基づいて第３者ネットワーク３００のＭＳＣ３１０にＩＡＭ信号を伝送し、第３者ネットワーク３００のＭＳＣ３１０を通じてＳＩＭＮサービス加入者端末機１０１に副番号への呼が着信されるようにし、ＳＩＭＮサービス加入者の動作によって通話が連結されれば、通話開始時間情報（ＡＣＭ／ＡＮＭ）をパートナーネットワーク２００のＧＭＳＣ２４０に伝送する（Ｓ１６０４）。
【０２１３】
パートナーネットワーク２００のＧＭＳＣ２４０は、段階Ｓ１６０４で通話連結情報（ＡＣＭ／ＡＮＭ）が受信されれば、通話連結に相応する情報ＥＲＢ（ｔＡｎｓｗｅｒ）をＲＳＣＰ１２０に伝送し（Ｓ１６０５）、通話が解除され、第３者ネットワーク３００のＭＳＣ３１０から伝送された通話終了情報（ＲＥＬ）がホームネットワーク１００のＧＭＳＣ１６０及びパートナーネットワーク２００のＩｎｔｌ  ＧＭＳＣ２４２を通じて受信されれば（Ｓ１６０６）、通話終了に相応する情報ＥＲＢ（ｔＤｉｓｃｏｎｎｅｃｔ）をＲＳＣＰ１２０に伝送する（Ｓ１６０７）。
【０２１４】
ＲＳＣＰ１２０は、図１６に示す段階Ｓ１５１７と同様に、ＥＲＢ（ｔＡｎｓｗｅｒ）及びＥＲＢ（ｔＤｉｓｃｏｎｎｅｃｔ）に基づいてＳＩＭＮサービス加入者端末機のホームネットワーク１００とパートナーネットワーク２００の間で発生した課金データ（ＣＤＲ）を生成し（Ｓ１６０８）、パートナーネットワーク２００のＧＭＳＣ２４０にＦＣＩ信号及びＲＥＬＥＡＳＥ  Ｃａｌｌ信号を伝送する。
【０２１５】
段階Ｓ１６０９及びＳ１６１０は図１５に示す段階Ｓ１４１５及びＳ１４１６と同様であるので、それについては簡略に説明する。すなわち、ホームネットワーク１００のＧＭＳＣ１６０は、通信端末機の課金データを生成し、課金データの中でホームネットワーク１００と第３者ネットワーク３００の間で発生したローミング課金データを分類する（Ｓ１６０９、Ｓ１６１０）。
【０２１６】
段階１６１１も図１５に示す段階Ｓ１４１７と同様であるので、以下にはその説明を省略する。
【０２１７】
前述した図１３〜図１７においては、ＳＩＭＮ端末機加入者が副番号に呼が着信されたことが分かるように、ＵＳＳＤメッセージをＳＩＭＮサービス加入者端末機に伝送するものとして説明した。しかし、ＳＩＭＮサービス加入者に副番号に呼が着信されたことを知らせる方法は、ＵＳＳＤメッセージでない他の方法によって果たすこともできる。その一例を図１８に基づいて説明する。
【０２１８】
図１８はホームネットワークに位置するＳＩＭＮサービス加入者端末機に呼を連結するさらに他の方法を示すフローチャートで、ＳＩＭＮサービス加入者に副番号への呼着信を知らせるためにＵＵＩ（ｕｓｅｒ  ｔｏ  ｕｓｅｒ  ｉｎｆｏｒｍａｔｉｏｎ）フィールドを利用する。
【０２１９】
図１８は副番号への呼着信に対する全般的な過程が図１３と類似しているが、副番号への呼着信をＵＳＳＤメッセージを用いてＳＩＭＮサービス加入者に知らせるものではなく、ＵＵＩフィールドに保存された副番号への呼着信に対するテキストを利用して知らせるものである。
【０２２０】
このように、図１８は図１３とその動作が類似しているので、ＵＵＩフィールドに対する内容を中心として説明する。
【０２２１】
ＲＳＣＰ１２０は、副番号を含むＳＲＩ信号が受信されれば、副番号を持つ移動通信加入者が海外ローミングサービス加入者であるかを判断し、海外ローミングサービス加入者の場合、ＳＩＭＮサービス加入者端末機のアップデートされた位置情報に基づいてＳＩＭＮサービス加入者がパートナーネットワーク２００に位置しているかを判断する（Ｓ１７０１）。
【０２２２】
ＲＳＣＰ１２０は、ＳＩＭＮサービス加入者がホームネットワーク１００に位置するため、既協約されたデータ（ｓｐｅｃｉａｌ  ＰＦＸ）、副番号に相応する主番号（Ｐ＃）及び副番号への呼着信に対するテキストが保存されたＵＵＩフィールドを含むＳＲＩ  ａｃｋ信号をパートナーネットワーク２００のＧＭＳＣ２４０に伝送し、パートナーネットワーク２００のＧＭＳＣ２４０は、ＳＩＭＮサービス加入者端末機１０１に副番号への呼着信についての情報を伝達するために、ＵＵＩフィールド内容を含むＩＡＭ信号をホームネットワーク１００のＧＭＳＣ１６０に伝送する（Ｓ１７０２）。
【０２２３】
ホームネットワーク１００のＧＭＳＣ１６０は、段階Ｓ１７０３でＳＩＭＮサービス加入者端末機が位置するＭＳＣ１５０のＭＳＲＮ情報を受信すれば、副番号への呼着信に対するテキストが保存されたＵＵＩフィールドを含むＩＡＭ信号をＭＳＣ１５０に伝送し、ＭＳＣ１５０を通じてＳＩＭＮサービス加入者端末機１０１に副番号への呼が着信されるようにする（Ｓ１７０３、Ｓ１７０４）。
【０２２４】
ここで、ＳＩＭＮサービス加入者端末機１０１は、呼着信の際、ＵＵＩフィールドに保存された内容、つまり副番号に呼が着信されたことを知らせる内容を画面に表示する（Ｓ１７０５）。
【０２２５】
段階Ｓ１７０５以後の過程は図１３に示す段階Ｓ１２１１〜Ｓ１２１５と同様であるので、以下にはその説明を省略する。
【０２２６】
このように、本発明による呼着信方法は、ＵＵＩフィールドに副番号への呼着信に相応するテキストを含ませてＳＩＭＮサービス加入者端末機に伝送することで、ＳＩＭＮサービス加入者は副番号への呼着信が分かることになる。
【０２２７】
もちろん、ＵＵＩフィールドを利用して副番号への呼着信を知らせる方法は図１３だけでなく図１４〜図１７にも適用可能であるのは当業者においては自明である。
【０２２８】
以上本発明の好適な実施例を例示の目的で開示したが、当業者であれば、本発明が前述した実施例に限定されなく、請求範囲で請求する本発明の要旨を逸脱することなしに多様な変形及び修正が可能であることが分かり、そのような変更は請求範囲に記載の範囲内に属するものである。
【符号の説明】
【０２２９】
１００  ホームネットワーク
１１０、２１０  ＣＣＢＳ
１２０  ＲＳＣＰ
１３０  ＧＬＲ
１４０  ＨＬＲ
１５０、２３０、３１０  ＭＳＣ
１６０、２４０、３２０  ＧＭＳＣ
１７０  ＶＡＳ
１８０  ＳＭＳＣ
２００  パートナーネットワーク
２２０  ＳＧＳＮ
３００  第３者ネットワーク
【図１】
2011508998.tif 000003
【図２】
2011508998.tif 000004
【図３】
2011508998.tif 000005
【図４】
2011508998.tif 000006
【図５】
2011508998.tif 000007
【図６】
2011508998.tif 000008
【図７】
2011508998.tif 000009
【図８】
2011508998.tif 000010
【図９】
2011508998.tif 000011
【図１０】
2011508998.tif 000012
【図１１】
2011508998.tif 000013
【図１２】
2011508998.tif 000014
【図１３】
2011508998.tif 000015
【図１４】
2011508998.tif 000016
【図１５】
2011508998.tif 000017
【図１６】
2011508998.tif 000018
【図１７】
2011508998.tif 000019
【図１８】
2011508998.tif 000020
【国際調査報告】
2011508998.tif 000021
2011508998.tif 000022